(57)【要約】【課題】    冷却流体により光変調素子を冷却できかつ、光変調素子を所定位置に位置決めできる光変調素子保持体、光学装置、およびプロジェクタを提供する。【解決手段】光変調素子保持体４４０２は、液晶パネル４４１を支持する中間枠体４４０９と、液晶パネル４４１を支持した中間枠体４４０９を挟持する一対の枠状部材４４０５，４４０６と、一対の枠状部材４４０５，４４０６および液晶パネル４４１の間にそれぞれ介在配置される第２弾性部材４４０７Ｂおよび第３弾性部材４４０７Ｃと、一対の枠状部材４４０５，４４０６の外面にそれぞれ配置される透光性基板４４２Ａ，４４３Ａとを有する。中間枠体４４０９に形成された開口部４４０９Ａは、液晶パネル４４１を嵌合可能とし、その内側面が液晶パネル４４１の外形位置基準面として機能する。【選択図】 図８
2005215201.tif 000002
【特許請求の範囲】
【請求項１】
光源から射出された光束を画像情報に応じて変調して光学像を形成する光変調素子を保持し、内部に冷却流体が封入される冷却室が形成され、前記冷却室内の冷却流体により前記光変調素子を冷却する光変調素子保持体であって、
前記光変調素子の外形に応じた開口が形成され前記光変調素子を支持する支持枠体と、前記光変調素子の画像形成領域に応じてそれぞれ開口が形成され前記光変調素子を支持した前記支持枠体を挟持する一対の枠状部材と、前記光変調素子の画像形成領域に応じてそれぞれ開口が形成され前記一対の枠状部材および前記光変調素子の間にそれぞれ介在配置される弾性部材と、前記一対の枠状部材における対向する面と反対の面側にそれぞれ配置される透光性基板とを含んで構成され、
前記冷却室は、前記一対の枠状部材の前記開口における前記対向する面側、および前記対向する面と反対の面側が前記光変調素子、前記支持枠体、前記弾性部材、および前記透光性基板にてそれぞれ閉塞されることにより前記一対の枠状部材の双方の内部にそれぞれ形成され、
前記支持枠体に形成された開口は、前記光変調素子を嵌合可能とし、その内側面が前記光変調素子の外形位置基準面であることを特徴とする光変調素子保持体。
【請求項２】
請求項１に記載の光変調素子保持体において、
前記支持枠体は、前記光変調素子の厚み寸法と略同一の厚み寸法を有し、前記開口にて前記光変調素子を支持した際、前記支持枠体の光束入射側端面および光束射出側端面が前記光変調素子の光束入射側端面および光束射出側端面とそれぞれ略面一となることを特徴とする光変調素子保持体。
【請求項３】
請求項２に記載の光変調素子保持体において、
前記弾性部材は、前記支持枠体と平面的に干渉するように延出形成され、前記支持枠体および前記光変調素子と前記一対の枠状部材との間にそれぞれ介在配置されていることを特徴とする光変調素子保持体。
【請求項４】
請求項３に記載の光変調素子保持体において、
前記一対の枠状部材の対向する面には、前記弾性部材の形状に応じた凹部がそれぞれ形成され、
当該光変調素子保持体を組み立てた際、前記支持枠体および前記光変調素子と前記凹部とで前記弾性部材を収納可能とする弾性部材収納部が形成されることを特徴とする光変調素子保持体。
【請求項５】
請求項１から請求項４のいずれかに記載の光変調素子保持体において、
前記一対の枠状部材のうち少なくともいずれかの枠状部材には、対向する枠状部材に向けて突出する突起部が形成され、
前記支持枠体には、前記突起部を嵌合可能とする嵌合部が形成されていることを特徴とする光変調素子保持体。
【請求項６】
請求項５に記載の光変調素子保持体において、
前記突起部は、前記一対の枠状部材のうちいずれか一方の枠状部材に形成され、前記一方の枠状部材における冷却室内部と連通する孔を有し、
前記支持枠体の前記嵌合部は、前記突起部を挿通可能に形成され、
前記一対の枠状部材のうちいずれか他方の枠状部材には、前記他方の枠状部材における冷却室内部と連通し、前記突起部を挿通可能とする突起部挿通孔が形成され、
前記他方の枠状部材および前記光変調素子の間に介在配置される弾性部材には、前記突起部を挿通可能とする挿通孔が形成されていることを特徴とする光変調素子保持体。
【請求項７】
請求項１から請求項６のいずれかに記載の光変調素子保持体において、
前記光変調素子は、複数の信号線、前記複数の信号線に接続された複数のスイッチング素子、および前記複数のスイッチング素子に接続された複数の画素電極を有する駆動基板と、前記駆動基板に対向配置され共通電極を有する対向基板と、前記複数の信号線および前記共通電極と電気的に接続され前記駆動基板および前記対向基板間から延出する回路基板とを含んで構成され、
前記支持枠体には、前記開口にて前記光変調素子を支持した際、前記回路基板が遊嵌状態で配置される凹部が形成されていることを特徴とする光変調素子保持体。
【請求項８】
請求項１から請求項７のいずれかに記載の光変調素子保持体において、
前記一対の枠状部材および前記支持枠体は、同一材料から構成されていることを特徴とする光変調素子保持体。
【請求項９】
光源から射出された光束を画像情報に応じて変調して光学像を形成する光変調素子を含んで構成される光学装置であって、
請求項１から請求項８のいずれかに記載の光変調素子保持体を備えていることを特徴とする光学装置。
【請求項１０】
請求項９に記載の光学装置において、
入射した光束の光学特性を変換する少なくとも１つの光学変換素子を備え、
前記光学変換素子は、透光性基板と、前記透光性基板上に形成され、入射した光束の光学特性を変換する光学変換膜とで構成され、
前記光変調素子保持体を構成する透光性基板のうち少なくともいずれかの透光性基板は、前記光学変換素子を構成する透光性基板であることを特徴とする光学装置。
【請求項１１】
請求項９または請求項１０に記載の光学装置において、
前記光変調素子は、複数で構成され、
前記光変調素子保持体は、前記複数の光変調素子に対応して複数で構成され、
前記複数の光変調素子保持体が取り付けられる複数の光束入射側端面を有し、前記複数の光変調素子にて変調された各色光を合成して射出する色合成光学装置を備えていることを特徴とする光学装置。
【請求項１２】
光源装置と、請求項９から請求項１１のいずれかに記載の光学装置と、前記光学装置にて形成された光学像を拡大投射する投射光学装置とを備えていることを特徴とするプロジェクタ。
【発明の詳細な説明】
【技術分野】
【０００１】
本発明は、光変調素子保持体、光学装置、およびプロジェクタに関する。
【背景技術】
【０００２】
従来、光源から射出された光束を画像情報に応じて変調して光学像を形成する複数の光変調装置と、各光変調装置で変調された光束を合成して射出する色合成光学装置と、色合成光学装置にて合成された光束を拡大投射する投射光学装置とを備えるプロジェクタが知られている。
このうち、光変調装置としては、例えば、一対の基板間に液晶等の電気光学材料が密閉封入されたアクティブマトリックス駆動方式の光変調素子が一般的に採用される。具体的に、この光変調素子を構成する一対の基板は、光束射出側に配置され、液晶に駆動電圧を印加するためのデータ線、走査線、スイッチング素子、画素電極等が形成された駆動基板と、光束入射側に配置され、共通電極、ブラックマトリックス等が形成された対向基板とで構成されている。
また、この光変調素子の光束入射側および光束射出側には所定の偏光軸を有する光束を透過させる入射側偏光板および射出側偏光板がそれぞれ配置される。
ここで、光源から射出された光束が光変調素子に照射された場合には、液晶層による光吸収とともに、駆動基板に形成されたデータ線および走査線や、対向基板に形成されたブラックマトリックス等による光吸収により、光変調素子の温度が上昇しやすい。また、光源から射出された光束、および光変調素子を透過した光束のうち、所定の偏光軸を有していない光束は、入射側偏光板および射出側偏光板によって吸収され、偏光板に熱が発生しやすい。
【０００３】
このため、このような光学素子を内部に有するプロジェクタは、光学素子の温度上昇を緩和するために、冷却流体を用いた冷却装置を備えた構成が提案されている（例えば、特許文献１参照）。
すなわち、特許文献１に記載の冷却装置は、対向する端面が開口された略直方体状の筐体から構成され、前記開口をガラス板によりそれぞれ閉塞することで内部に冷却流体を密閉封入する冷却室が形成されている。そして、この冷却室内には、上述した光変調素子、入射側偏光板、および射出側偏光板が所定の間隔で離間配置され、冷却流体内に浸漬されている。このような構成により、光源から照射される光束により光変調素子、入射側偏光板、および射出側偏光板に生じる熱を直接、冷却流体に放熱させている。
【０００４】
【特許文献１】特開平１−３０２３８６号公報
【発明の開示】
【発明が解決しようとする課題】
【０００５】
しかしながら、特許文献１に記載の冷却装置では、光変調素子を筐体内における所定の位置に設置することは困難であり、筐体に対する光変調素子の位置決め精度が低い構成である。
また、長期間使用した場合に、筐体に対して光変調素子が位置ずれを起こす虞もある。
そして、上述したように筐体に対して光変調素子の位置がずれた状態では、光源から射出された光束の光軸に対する光変調素子の位置がずれ、不要な光がスクリーン上に投影されてしまう。
【０００６】
本発明の目的は、冷却流体により光変調素子を冷却できかつ、光変調素子を所定位置に位置決めできる光変調素子保持体、光学装置、およびプロジェクタを提供することにある。
【課題を解決するための手段】
【０００７】
本発明の光変調素子保持体は、光源から射出された光束を画像情報に応じて変調して光学像を形成する光変調素子を保持し、内部に冷却流体が封入される冷却室が形成され、前記冷却室内の冷却流体により前記光変調素子を冷却する光変調素子保持体であって、前記光変調素子の外形に応じた開口が形成され前記光変調素子を支持する支持枠体と、前記光変調素子の画像形成領域に応じてそれぞれ開口が形成され前記光変調素子を支持した前記支持枠体を挟持する一対の枠状部材と、前記光変調素子の画像形成領域に応じてそれぞれ開口が形成され前記一対の枠状部材および前記光変調素子の間にそれぞれ介在配置される弾性部材と、前記一対の枠状部材における対向する面と反対の面側にそれぞれ配置される透光性基板とを含んで構成され、前記冷却室は、前記一対の枠状部材の前記開口における前記対向する面側、および前記対向する面と反対の面側が前記光変調素子、前記支持枠体、前記弾性部材、および前記透光性基板にてそれぞれ閉塞されることにより前記一対の枠状部材の双方の内部にそれぞれ形成され、前記支持枠体に形成された開口は、前記光変調素子を嵌合可能とし、その内側面が前記光変調素子の外形位置基準面であることを特徴とする。
本発明では、光変調素子保持体は、支持枠体と、一対の枠状部材と、弾性部材と、透光性基板とを含んで構成される。ここで、支持枠体は、内側面が外形位置基準面として機能する開口に光変調素子を嵌合させることで、該光変調素子を支持し、該光変調素子が支持枠体に対して位置決めされる。そして、一対の枠状部材にて、光変調素子を含む支持枠体を、弾性部材を介して挟持し、一対の枠状部材の対向する面と反対の面側に透光性基板をそれぞれ配置することで光変調素子保持体が組み立てられる。このことにより、従来の筐体内部に光変調素子が収納配置される構成と比較して、支持枠体にて光変調素子の外形位置が規制されるので、光変調素子保持体に対する光変調素子の位置決め精度を向上できる。また、支持枠体にて光変調素子の外周方向の移動が規制され、弾性部材および一対の枠状部材にて光変調素子の厚み方向および傾き方向の移動が規制されるので、長期間使用した場合であっても、光変調素子保持体に対して光変調素子が位置ずれを起こす虞もない。
また、一対の枠状部材の開口における対向する面側、および対向する面と反対の面側が、支持枠体、弾性部材、光変調素子、および透光性基板にてそれぞれ閉塞されることにより、光変調素子の光束入射側および光束射出側の双方に冷却室が形成されるので、光変調素子を冷却流体により効率的に冷却できる。
したがって、冷却流体により光変調素子を効率的に冷却できかつ、光変調素子を所定位置に位置決めできるので、本発明の目的を達成できる。
また、予め光変調素子を支持枠体に支持させた状態で光変調素子保持体内に組み込むことで、従来のような裸状態の光変調素子を筐体内に収納配置する構成と比較して、光変調素子の取り扱い時に他の部材に衝突して該光変調素子が破損する虞もない。
【０００８】
本発明の光変調素子保持体では、前記支持枠体は、前記光変調素子の厚み寸法と略同一の厚み寸法を有し、前記開口にて前記光変調素子を支持した際、前記支持枠体の光束入射側端面および光束射出側端面が前記光変調素子の光束入射側端面および光束射出側端面とそれぞれ略面一となることが好ましい。
本発明によれば、支持枠体は、開口にて光変調素子を支持した際、光変調素子の光束入射側端面および光束射出側端面と略面一となるので、光変調素子の外周が支持枠体の開口内側面により覆われることとなる。このため、光変調素子保持体を組み立てた状態で、弾性部材が光変調素子および一対の枠状部材により押圧された際、その反力により弾性部材が光変調素子の外周方向に逃げることを回避できる。したがって、弾性部材により光変調素子および一対の枠状部材間における冷却流体の防水性を確保できる。
【０００９】
本発明の光変調素子保持体では、前記弾性部材は、前記支持枠体と平面的に干渉するように延出形成され、前記支持枠体および前記光変調素子と前記一対の枠状部材との間にそれぞれ介在配置されていることが好ましい。
本発明によれば、弾性部材は、支持枠体と平面的に干渉するように延出形成され、支持枠体および光変調素子と一対の枠状部材との間にそれぞれ介在配置されるので、例えば弾性部材が支持枠体と平面的に干渉せずに、光変調素子のみと一対の枠状部材との間にそれぞれ介在配置される構成と比較して、弾性部材の体積を増加できる。また、支持枠体は、光変調素子の光束入射側端面および光束射出側端面と略面一となるので、該支持枠体および光変調素子と一対の枠状部材間とで弾性部材を押圧した際に、弾性部材の潰し代を均一化できる。したがって、弾性部材により光変調素子および一対の枠状部材間における冷却流体の防水性をさらに確保できる。
【００１０】
本発明の光変調素子保持体では、前記一対の枠状部材の対向する面には、前記弾性部材の形状に応じた凹部がそれぞれ形成され、当該光変調素子保持体を組み立てた際、前記支持枠体および前記光変調素子と前記凹部とで前記弾性部材を収納可能とする弾性部材収納部が形成されることが好ましい。
本発明によれば、光変調素子保持体を組み立てた際、支持枠体および光変調素子と一対の枠状部材の対向する面に形成された凹部とで、弾性部材収納部が形成されるので、弾性部材が支持枠体および光変調素子と一対の枠状部材とで押圧された際の反力、および各冷却室内の冷却流体の圧力変化等によっても、弾性部材が位置ずれを起こすことがない。したがって、弾性部材により光変調素子および一対の枠状部材間における冷却流体の防水性をさらに一層確保できる。
【００１１】
本発明の光変調素子保持体では、前記一対の枠状部材のうち少なくともいずれかの枠状部材には、対向する枠状部材に向けて突出する突起部が形成され、前記支持枠体には、前記突起部を嵌合可能とする嵌合部が形成されていることが好ましい。
ここで、突起部の数、およびこれに対応する嵌合部の数は、特に限定されず、少なくとも１つ形成されていればよい。
本発明によれば、支持枠体にて光変調素子の外形位置が規制され、支持枠体の嵌合部に一対の枠状部材のうち少なくともいずれかの枠状部材に形成された突起部を嵌合させることで一対の枠状部材に対する支持枠体の位置が規制される。したがって、光変調素子保持体に対する光変調素子の位置決め精度を簡単な構造でさらに向上できる。また、支持枠体の嵌合部に突起部を嵌合させることで、長期間使用した場合であっても、一対の枠状部材に対して支持枠体が位置ずれを起こすこともなく、すなわち、光変調素子保持体に対する光変調素子の位置ずれを回避できる。さらに、このような構成では、光変調素子保持体の組み立てを簡単な構造で容易に実施できる。
【００１２】
本発明の光変調素子保持体では、前記突起部は、前記一対の枠状部材のうちいずれか一方の枠状部材に形成され、前記一方の枠状部材における冷却室内部と連通する孔を有し、前記支持枠体の前記嵌合部は、前記突起部を挿通可能に形成され、前記一対の枠状部材のうちいずれか他方の枠状部材には、前記他方の枠状部材における冷却室内部と連通し、前記突起部を挿通可能とする突起部挿通孔が形成され、前記他方の枠状部材および前記光変調素子の間に介在配置される弾性部材には、前記突起部を挿通可能とする挿通孔が形成されていることが好ましい。
本発明によれば、一方の枠状部材に形成される突起部には該一方の枠状部材における冷却室内部と連通する孔を有し、他方の枠状部材には該他方の枠状部材における冷却室内部と連通する突起部挿通孔が形成されているので、各枠状部材を組み立てる際に、他方の枠状部材における筒状部挿通孔に、一方の枠状部材における突起部を挿通することで、各冷却室を連通接続できる。
このため、一方の冷却室から他方の冷却室へ、または他方の冷却室から一方の冷却室へと冷却流体を流通させることができ、光変調素子の光束入射側および光束射出側を略同一の温度である冷却流体により冷却でき、光変調素子における光束入射側および光束射出側の温度の均一化を図れる。
【００１３】
また、例えば、冷却流体を流通可能な流体循環部材にて各冷却室を連通接続する構成と比較して、光変調素子保持体をコンパクトにでき、光変調素子保持体の小型化および軽量化が可能な構成となる。
さらに、例えば、光変調素子保持体に、外部から冷却室内部に冷却流体を流入させる流入口、および冷却室内部の冷却流体を外部に流出させる流出口を設ける際には、各冷却室が連通接続されているので、流入口および流出口を各冷却室に応じて２つずつ設けなくてもよく、光変調素子保持体に各１つのみの流入口および流出口を設ける構成を採用できる。このことにより、流入口および流出口を各冷却室に応じて２つずつ設ける構成と比較して、流入口および流出口を接続する流体循環部材の引き回し本数を低減でき、流入口および流出口への流体循環部材の接続作業を容易に実施できるとともに、光変調素子保持体周りのスペース効率の向上が図れる。
さらにまた、他方の枠状部材および光変調素子の間に介在配置される弾性部材には挿通孔が形成されているので、光変調素子保持体を組み立てた状態で、弾性部材が他方の枠状部材および光変調素子により押圧された際、該弾性部材における挿通孔を突起部および突起部挿通孔の接続部分に圧接させることができる。したがって、突起部および突起部挿通孔を介して各冷却室間を流通する冷却流体の漏れを簡単な構成で確実に防止できる。また、他方の枠状部材および光変調素子間の冷却流体の漏れを防止する部材、および、突起部および突起部挿通孔の接続部分からの冷却流体の漏れを防止する部材を一体化させることで、部材を省略でき、光変調素子保持体の組み立て工数を低減できる。
【００１４】
本発明の光変調素子保持体では、前記光変調素子は、複数の信号線、前記複数の信号線に接続された複数のスイッチング素子、および前記複数のスイッチング素子に接続された複数の画素電極を有する駆動基板と、前記駆動基板に対向配置され共通電極を有する対向基板と、前記複数の信号線および前記共通電極と電気的に接続され前記駆動基板および前記対向基板間から延出する回路基板とを含んで構成され、前記支持枠体には、前記開口にて前記光変調素子を支持した際、前記回路基板が遊嵌状態で配置される凹部が形成されていることが好ましい。
ここで、本発明の光変調素子はアクティブマトリクス駆動方式を採用でき、スイッチング素子としては、ＴＦＴ素子（Thin Film Transistor）等の３端子素子、ＭＩＭ（Metal Insulator Metal）等の２端子素子を採用できる。
本発明では、光変調素子は、駆動基板と、対向基板と、回路基板とで構成される。そして、支持枠体には、回路基板を遊嵌状態で配置させる凹部が形成されている。このことにより、支持枠体が開口にて光変調素子を支持した際でも、該支持枠体と回路基板とが干渉することなく、回路基板に掛かる外力が対向基板および駆動基板に影響を及ぼすことを防止できる。したがって、光変調素子保持体に対する光変調素子の位置決め精度を良好に維持できる。
【００１５】
本発明の光変調素子保持体では、前記一対の枠状部材および前記支持枠体は、同一材料から構成されていることが好ましい。
本発明によれば、一対の枠状部材および支持枠体が同一材料から構成されているので、温度変化による寸法変化量を均一化でき、弾性部材の潰し代の変化を抑制できる。したがって、一対の枠状部材および光変調素子間における冷却流体の防水性を良好に維持できる。
【００１６】
本発明の光学装置は、光源から射出された光束を画像情報に応じて変調して光学像を形成する光変調素子を含んで構成される光学装置であって、上述した光変調素子保持体を備えていることを特徴とする。
本発明によれば、光学装置は、光変調素子と、上述した光変調素子保持体を備えているので、上述した光変調素子保持体と同様の作用・効果を享受できる。
【００１７】
本発明の光学装置では、入射した光束の光学特性を変換する少なくとも１つの光学変換素子を備え、前記光学変換素子は、透光性基板と、前記透光性基板上に形成され、入射した光束の光学特性を変換する光学変換膜とで構成され、前記光変調素子保持体を構成する透光性基板のうち少なくともいずれかの透光性基板は、前記光学変換素子を構成する透光性基板であることが好ましい。
ここで、光学変換素子としては、例えば、偏光板、位相差板、あるいは視野角補正板等を採用できる。
本発明によれば、光変調素子保持体を構成する透光性基板のうち少なくともいずれかの透光性基板は、光学変換素子を構成する透光性基板であるので、光変調素子のみならず、光源から射出された光束によって光学変換膜に生じる熱も、透光性基板を介して冷却室を対流する冷却流体に放熱できる。
【００１８】
本発明の光学装置では、前記光変調素子は、複数で構成され、前記光変調素子保持体は、前記複数の光変調素子に対応して複数で構成され、前記複数の光変調素子保持体が取り付けられる複数の光束入射側端面を有し、前記複数の光変調素子にて変調された各色光を合成して射出する色合成光学装置を備えていることが好ましい。
本発明では、光学装置は、複数の光変調素子と、複数の光変調素子保持体と、色合成光学装置とを備えている。上述したように、光変調素子保持体に対する光変調素子の位置決め精度が向上されているので、各光変調素子相互の位置ずれも抑制でき、光学装置にて画素ずれのない良好な光学像を形成できる。
【００１９】
本発明のプロジェクタは、光源装置と、上述した光学装置と、前記光学装置にて形成された光学像を拡大投射する投射光学装置とを備えていることを特徴とする。
本発明によれば、プロジェクタは、光源装置と、上述した光学装置と、投射光学装置とを備えているので、上述した光学装置と同様の作用・効果を享受できる。
また、プロジェクタは、光変調素子の位置決め精度が向上されているので、光源装置から射出された光束の光軸に対する光変調素子の位置がずれることがなく、不要な光がスクリーン上に投影されることがない。
【発明を実施するための最良の形態】
【００２０】
[第１実施形態]
以下、本発明の第１実施形態を図面に基づいて説明する。
〔プロジェクタの構成〕
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、冷却ユニット３と、光学ユニット４と、投射光学装置としての投射レンズ５とを備える。
なお、図１において、図示は省略するが、外装ケース２内において、冷却ユニット３、光学ユニット４、および投射レンズ５以外の空間には、電源ブロック、ランプ駆動回路等が配置されるものとする。
【００２１】
外装ケース２は、合成樹脂等から構成され、冷却ユニット３、光学ユニット４、および投射レンズ５を内部に収納配置する全体略直方体状に形成されている。この外装ケース２は、図示は省略するが、プロジェクタ１の天面、前面、背面、および側面をそれぞれ構成するアッパーケースと、プロジェクタ１の底面、前面、側面、および背面をそれぞれ構成するロアーケースとで構成され、前記アッパーケースおよび前記ロアーケースは互いにねじ等で固定されている。
なお、外装ケース２は、合成樹脂製に限らず、その他の材料にて形成してもよく、例えば、金属等により構成してもよい。
また、図示は省略するが、この外装ケース２には、冷却ユニット３によりプロジェクタ１外部から冷却空気を内部に導入するための吸気口（例えば、図２に示す吸気口２２）、およびプロジェクタ１内部で温められた空気を排出するための排気口が形成されている。
さらに、この外装ケース２には、図１に示すように、投射レンズ５の側方で外装ケース２の角部分に位置し、光学ユニット４の後述する光学装置のラジエータを他の部材と隔離する隔壁２１が形成されている。
【００２２】
冷却ユニット３は、プロジェクタ１内部に形成される冷却流路に冷却空気を送り込み、プロジェクタ１内で発生する熱を冷却する。この冷却ユニット３は、投射レンズ５の側方に位置し、外装ケース２に形成された図示しない吸気口からプロジェクタ１外部の冷却空気を内部に導入して光学ユニット４の後述する光学装置の液晶パネルに冷却空気を吹き付けるシロッコファン３１と、外装ケース２に形成された隔壁２１内部に位置し、外装ケース２に形成された吸気口２２（図２参照）からプロジェクタ１外部の冷却空気を内部に導入して光学ユニット４の後述するラジエータに冷却空気を吹き付ける軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００２３】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズ５は、複数のレンズが組み合わされた組レンズとして構成される。そして、この投射レンズ５は、光学ユニット４にて形成された光学像（カラー画像）を図示しないスクリーン上に拡大投射する。
【００２４】
〔光学ユニットの詳細な構成〕
光学ユニット４は、図１に示すように、インテグレータ照明光学系４１、色分離光学系４２、リレー光学系４３、光学装置４４、および、これら光学部品４１〜４４を収納配置する光学部品用筐体４５とを備える。
インテグレータ照明光学系４１は、光学装置４４を構成する後述する液晶パネルの画像形成領域を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００２５】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００２６】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００２７】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１、リレーレンズ４３３、および反射ミラー４３２，４３４を備え、色分離光学系４２で分離された赤色光を光学装置４４の後述する赤色光用の液晶パネルまで導く機能を有している。
【００２８】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光側をその中心軸（主光線）に対して平行な光束に変換する。他の緑色光用、赤色光用の液晶パネルの光入射側に設けられたフィールドレンズ４１８も同様である。
【００２９】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。
【００３０】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される光学変換素子としての入射側偏光板４４２および射出側偏光板４４３と、色合成光学装置としてのクロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４以外に、メインタンク、流体圧送部、ラジエータ、流体循環部材、流体分岐部、光変調素子保持体、および中継タンクを備える。
【００３１】
液晶パネル４４１は、ガラスなどからなる一対の基板４４１Ｃ，４４１Ｄ（図８参照）に電気光学物質である液晶が密閉封入された構成を有している。このうち、基板４４１Ｃ（図８参照）は、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ等のスイッチング素子とを有している。また、基板４４１Ｄ（図８参照）は、基板４４１Ｃに対して所定間隔を空けて対向配置される対向基板であり、所定の電圧Ｖcomが印加される共通電極を有している。そして、これら基板４４１Ｃ，４４１Ｄには、図示しない制御装置と電気的に接続し、前記走査線、前記データ線、前記スイッチング素子、および前記共通電極等に所定の駆動信号を出力する回路基板としてのフレキシブルプリント基板４４１Ｅ（図８参照）が接続されている。このフレキシブルプリント基板４４１Ｅ（図８参照）を介して前記制御装置から駆動信号を入力することで、所定の前記画素電極と前記共通電極との間に電圧が印加され、該画素電極および共通電極間に介在する液晶の配向状態が制御され、入射側偏光板４４２から射出された偏光光束の偏光方向が変調される。
【００３２】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、サファイアガラスまたは水晶等の透光性基板４４２Ａ（図８参照）上に光学変換膜としての偏光膜（図示省略）が貼付された構成を有している。
射出側偏光板４４３は、入射側偏光板４４２と同様に透光性基板４４３Ａおよび光学変換膜としての偏光膜４４３Ｂ（図８参照）を有し、液晶パネル４４１から射出された光束のうち、入射側偏光板４４２における光束の透過軸と直交する偏光軸を有する光束のみ透過させ、その他の光束を吸収するものである。
【００３３】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００３４】
図２は、プロジェクタ１内の一部を上方側から見た斜視図である。なお、図２において、光学部品用筐体４５内の光学部品は、説明を簡略化するために、光学装置４４の後述する光学装置本体のみを図示し、その他の光学部品４１〜４３は省略している。
図３は、プロジェクタ１内の一部を下方側から見た斜視図である。
光学部品用筐体４５は、例えば、金属製部材から構成され、図１に示すように、内部に所定の照明光軸Ａが設定され、上述した光学部品４１〜４３、および光学装置４４の後述する光学装置本体を照明光軸Ａに対する所定位置に収納配置する。なお、光学部品用筐体４５は、金属製部材に限らず、その他の材料にて構成してもよく、特に熱伝導性材料で構成することが好ましい。この光学部品用筐体４５は、図２に示すように、光学部品４１〜４３、および光学装置４４の後述する光学装置本体を収納する容器状の部品収納部材４５１と、部品収納部材４５１の開口部分を閉塞する図示しない蓋状部材とで構成される。
【００３５】
このうち、部品収納部材４５１は、光学部品用筐体４５の底面、前面、および側面をそれぞれ構成する。
この部品収納部材４５１において、側面の内側面には、図２に示すように、上述した光学部品４１２〜４１５，４１８，４２１〜４２３，４３１〜４３４を上方からスライド式に嵌め込むための溝部４５１Ａが形成されている。
また、側面の正面部分には、図２に示すように、投射レンズ５を光学ユニット４に対して所定位置に設置するための投射レンズ設置部４５１Ｂが形成されている。この投射レンズ設置部４５１Ｂは、平面視略矩形状に形成され、平面視略中央部分には光学装置４４からの光束射出位置に対応して円形状の図示しない孔が形成されており、光学ユニット４にて形成されたカラー画像が前記孔を通して投射レンズ５にて拡大投射される。
また、この部品収納部材４５１において、底面には、図３に示すように、光学装置４４の液晶パネル４４１位置に対応して形成された３つの孔４５１Ｃと、光学装置４４の後述する流体分岐部の冷却流体流入部に対応して形成された孔４５１Ｄとが形成されている。ここで、冷却ユニット３のシロッコファン３１によりプロジェクタ１外部から内部に導入された冷却空気は、シロッコファン３１の吐出口３１Ａ（図３）から吐出され、図示しないダクトを介して前記孔４５１Ｃに導かれる。
【００３６】
〔光学装置の構成〕
光学装置４４は、図２または図３に示すように、液晶パネル４４１、入射側偏光板４４２、射出側偏光板４４３、およびクロスダイクロイックプリズム４４４が一体化された光学装置本体４４０（図２）と、メインタンク４４５と、流体圧送部４４６と、ラジエータ４４７と、複数の流体循環部材４４８とを備える。
複数の流体循環部材４４８は、内部に冷却流体が対流可能にアルミニウム製の管状部材で構成され、冷却流体が循環可能に各部材４４０，４４５〜４４７を接続する。そして、循環する冷却流体により光学装置本体４４０を構成する液晶パネル４４１、入射側偏光板４４２、および射出側偏光板４４３に生じる熱を冷却する。
なお、本実施形態では、冷却流体として、透明性の非揮発性液体であるエチレングリコールを採用する。冷却流体としては、エチレングリコールに限らず、その他の液体を採用してもよい。
以下では、各部材４４０，４４５〜４４７を、循環する冷却流体の流路に沿って液晶パネル４４１に対する上流側から順に説明する。
【００３７】
図４は、メインタンク４４５の構造を示す図である。具体的に、図４（Ａ）は、メインタンク４４５を上方から見た平面図である。また、図４（Ｂ）は、図４（Ａ）におけるＡ-Ａ線の断面図である。
メインタンク４４５は、略円柱形状を有し、アルミニウム製の２つの容器状部材から構成され、２つの容器状部材の開口部分を互いに接続することで内部に冷却流体を一時的に蓄積する。これら容器状部材は、例えば、シール溶接またはゴム等の弾性部材を介在させることで接続される。
【００３８】
このメインタンク４４５において、円柱軸方向略中央部分には、図４（Ｂ）に示すように、冷却流体を内部に流入させる冷却流体流入部４４５Ａおよび内部の冷却流体を外部に流出させる冷却流体流出部４４５Ｂが形成されている。
これら冷却流体流入部４４５Ａおよび冷却流体流出部４４５Ｂは、流体循環部材４４８の管径寸法よりも小さい管径寸法を有する略筒状部材から構成され、メインタンク４４５の内外に突出するように配置されている。そして、冷却流体流入部４４５Ａの外側に突出した一端には、流体循環部材４４８の一端が接続され、該流体循環部材４４８を介して外部からの冷却流体がメインタンク４４５内部に流入する。また、冷却流体流出部４４５Ｂの外側に突出した一端にも、流体循環部材４４８の一端が接続され、該流体循環部材４４８を介してメインタンク４４５内部の冷却流体が外部へと流出する。
また、冷却流体流入部４４５Ａおよび冷却流体流出部４４５Ｂの内側に突出した他端は、図４（Ａ）に示すように、メインタンク４４５の円柱軸に向けて延出し、平面的に視て略直交するようにそれぞれ配置されている。このように、冷却流体流入部４４５Ａおよび冷却流体流出部４４５Ｂを平面的に視て略直交するようにそれぞれ配置することで、冷却流体流入部４４５Ａを介してメインタンク４４５内部に流入した冷却流体が、冷却流体流出部４４５Ｂを介して直ぐに外部に流出することを回避でき、流入した冷却流体をメインタンク４４５内部の冷却流体と混合させ、冷却流体の温度の均一化を図っている。
【００３９】
また、このメインタンク４４５の外周面において、円柱軸方向略中央部分には、図４（Ａ）に示すように、２つの容器状部材のそれぞれに３つの固定部４４５Ｃが形成され、該固定部４４５Ｃにねじ４４５Ｄ（図２、図３）を挿通し、外装ケース２の底面に螺合することで、２つの容器状部材が互いに密接して接続されるとともに、メインタンク４４５が外装ケース２に固定される。
そして、このメインタンク４４５は、図１または図２に示すように、光学部品用筐体４５と外装ケース２の内側面とで形成される平面視三角形状の領域に配置される。この領域にメインタンク４４５を配置することで、外装ケース２内の収納効率の向上が図れ、プロジェクタ１が大型化することがない。
【００４０】
流体圧送部４４６は、メインタンク４４５内に蓄積された冷却流体を送入し、送入した冷却流体を外部に強制的に送出する。このため、流体圧送部４４６は、図３に示すように、メインタンク４４５の冷却流体流出部４４５Ｂに接続した流体循環部材４４８の他端と連通接続するとともに、外部に冷却流体を送出するために他の流体循環部材４４８の一端と連通接続している。
この流体圧送部４４６は、具体的な図示は省略するが、例えば、略直方体状のアルミニウム製の中空部材内に羽根車が配置された構成を有し、図示しない制御装置による制御の下、前記羽根車が回転することで、メインタンク４４５内に蓄積された冷却流体を流体循環部材４４８を介して強制的に送入し、送入した冷却流体を流体循環部材４４８を介して外部に強制的に送出する。このような構成では、流体圧送部４４６は、前記羽根車の回転軸方向の厚み寸法を小さくすることができ、プロジェクタ１内部の空きスペースに配置することが可能となり、プロジェクタ１内部の収納効率の向上を図れ、プロジェクタ１が大型化することがない。本実施形態では、流体圧送部４４６は、図２または図３に示すように、投射レンズ５の下方に配置される。
【００４１】
図５および図６は、光学装置本体４４０の概略構成を示す図である。具体的に、図５は、光学装置本体４４０を上方側から見た斜視図である。また、図６は、光学装置本体４４０を下方側から見た斜視図である。
光学装置本体４４０は、３つの液晶パネル４４１、３つの入射側偏光板４４２、３つの射出側偏光板４４３、およびクロスダイクロイックプリズム４４４の他、図５および図６に示すように、流体分岐部４４０１と、３つの光変調素子保持体４４０２と、３つの支持部材４４０３と、中継タンク４４０４（図５）とを備える。
【００４２】
図７は、流体分岐部４４０１の構造を示す図である。具体的に、図７（Ａ）は、流体分岐部４４０１を上方から見た平面図である。また、図７（Ｂ）は、図７（Ａ）におけるＢ-Ｂ線の断面図である。
流体分岐部４４０１は、略直方体状のアルミニウム製の中空部材で構成され、流体圧送部４４６から強制的に送出された冷却流体を送入し、送入した冷却流体を３つの光変調素子保持体４４０２毎に分岐して送出する。また、この流体分岐部４４０１は、クロスダイクロイックプリズム４４４の３つの光束入射側端面に交差する端面である下面に固定され、クロスダイクロイックプリズム４４４を支持するプリズム固定板としての機能も有する。
この流体分岐部４４０１において、底面の略中央部分には、図７（Ｂ）に示すように、流体圧送部４４６から圧送された冷却流体を内部に流入させる冷却流体流入部４４０１Ａが形成されている。この冷却流体流入部４４０１Ａは、メインタンク４４５の冷却流体流入部４４５Ａと同様に、流体循環部材４４８の管径寸法よりも小さい管径寸法を有する略筒状部材から構成され、流体分岐部４４０１内外に突出するように配置されている。そして、冷却流体流入部４４０１Ａの外側に突出した一端には、流体圧送部４４６に連通接続された流体循環部材４４８の他端が接続され、該流体循環部材４４８を介して流体圧送部４４６から圧送された冷却流体が流体分岐部４４０１内部に流入する。
また、底面の四隅部分には、図７（Ａ）に示すように、該底面に沿って延出する腕部４４０１Ｂがそれぞれ形成されている。これら腕部４４０１Ｂの先端部分には、それぞれ孔４４０１Ｂ１が形成され、これら孔４４０１Ｂ１に図示しないねじを挿通し、光学部品用筐体４５の部品収納部材４５１に螺合することで、光学装置本体４４０が部品収納部材４５１に固定される。この際、流体分岐部４４０１および光学部品用筐体４５は、熱伝達可能に接続される。このように、流体分岐部４４０１が光学部品用筐体４５に熱伝達可能に接続されることで、循環する冷却流体〜流体分岐部４４０１〜光学部品用筐体４５への熱伝達経路を確保し、冷却流体の冷却効率を向上させ、ひいては、冷却流体による液晶パネル４４１、入射側偏光板４４２、および射出側偏光板４４３の冷却効率の向上を図れる。また、シロッコファン３１の送風を光学部品用筐体４５の底面に沿って流せば、循環する冷却流体の放熱面積を増加でき、さらに、冷却効率が高められる。
【００４３】
また、この流体分岐部４４０１において、クロスダイクロイックプリズム４４４の光束入射側端面に対応する３つの側面には、図７（Ａ）に示すように、送入された冷却流体を３つの光変調素子保持体４４０２毎に分岐して流出させる冷却流体流出部４４０１Ｃが形成されている。
これら冷却流体流出部４４０１Ｃは、冷却流体流入部４４０１Ａと同様に、流体循環部材４４８の管径寸法よりも小さい管径寸法を有する略筒状部材から構成され、流体分岐部４４０１内外に突出するように配置されている。そして、各冷却流体流出部４４０１Ｃの外側に突出した一端には、それぞれ流体循環部材４４８の一端が接続され、該流体循環部材４４８を介して流体分岐部４４０１内部の冷却流体が分岐されて外部へと流出する。
さらに、この流体分岐部４４０１において、上面の略中央部分には、図７に示すように、球状の膨出部４４０１Ｄが形成されている。そして、この膨出部４４０１Ｄにクロスダイクロイックプリズム４４４の下面を当接させることで、流体分岐部４４０１に対するクロスダイクロイックプリズム４４４のあおり方向の位置調整が可能となる。
【００４４】
図８は、光変調素子保持体４４０２の概略構成を示す分解斜視図である。
３つの光変調素子保持体４４０２は、３つの液晶パネル４４１、３つの入射側偏光板４４２、および３つの射出側偏光板４４３をそれぞれ保持するとともに、内部に冷却流体が流入および流出し、該冷却流体により３つの液晶パネル４４１、３つの入射側偏光板４４２、および３つの射出側偏光板４４３をそれぞれ冷却する。なお、各光変調素子保持体４４０２は、同様の構成であり、以下では１つの光変調素子保持体４４０２のみを説明する。
光変調素子保持体４４０２は、図８に示すように、一対の枠状部材４４０５，４４０６と、４つの弾性部材４４０７と、一対の偏光板固定部材４４０８Ａ，４４０８Ｂと、支持枠体としての中間枠体４４０９とを備える。
【００４５】
図９は、枠状部材４４０５の概略構成を示す図である。具体的に、図９（Ａ）は、枠状部材４４０５を光束射出側から見た斜視図である。また、図９（Ｂ）は、枠状部材４４０５を光束入射側から見た斜視図である。
枠状部材４４０５は、略中央部分に液晶パネル４４１の画像形成領域に対応した矩形状の開口部４４０５Ａを有する平面視略矩形状のアルミニウム製の枠体であり、枠状部材４４０６に対して光束入射側に配置され、液晶パネル４４１の光束入射側を支持するとともに、入射側偏光板４４２の光束射出側を支持する。
【００４６】
この枠状部材４４０５において、光束射出側端面には、図９（Ａ）に示すように、弾性部材４４０７の後述する第２弾性部材の形状に対応した形状を有する凹部４４０５Ｂが形成され、この凹部４４０５Ｂにて前記第２弾性部材および中間枠体４４０９を介して液晶パネル４４１の光束入射側端面を支持する。そして、枠状部材４４０５が液晶パネル４４１の光束入射側端面を支持することで、前記第２弾性部材、中間枠体４４０９、および液晶パネル４４１の光束入射側端面にて、開口部４４０５Ａの光束射出側が閉塞される。
この凹部４４０５Ｂにおける上方側角隅部分、および下方側の左右方向略中央部分には、図９（Ａ）または図９（Ｂ）に示すように、光束射出側端面および光束入射側端面を貫通し、枠状部材４４０６の後述する筒状部を挿通可能とする３つの突起部挿通孔としての挿通孔４４０５Ｃ，４４０５Ｄが形成されている。
【００４７】
また、この枠状部材４４０５において、光束入射側端面には、図９（Ｂ）に示すように、弾性部材４４０７の後述する第１弾性部材の形状に対応して矩形枠状の凹部４４０５Ｅが形成され、この凹部４４０５Ｅにて前記第１弾性部材を介して入射側偏光板４４２を支持する。そして、枠状部材４４０５が入射側偏光板４４２の光束射出側端面を支持することで、前記第１弾性部材、および入射側偏光板４４２の光束射出側端面にて、開口部４４０５Ａにおける光束入射側が閉塞される。
また、開口部４４０５Ａは、図９（Ｂ）に示すように、光束射出側端面から光束入射側端面に向けて開口面積が大きくなるように、光束入射側の角部分が面取りされ、斜面４４０５Ａ１を有している。
さらに、この光束入射側端面には、図９（Ｂ）に示すように、開口部４４０５Ａの上下側端部周縁に、凹部４４０５Ｅよりも深さ寸法の大きい凹部４４０５Ｆが３つの挿通孔４４０５Ｃ，４４０５Ｄと接続するようにそれぞれ形成されている。
これら凹部４４０５Ｆのうち、上方側に位置する凹部４４０５Ｆの上方側の側壁は、左右方向略中央部分が下方に突出して凸となるように曲面状に形成されている。また、下方側に位置する凹部４４０５Ｆの下方側の側壁も同様に、左右方向略中央部分が下方側に窪み凹となるように曲面状に形成されている。
以上のように、液晶パネル４４１および入射側偏光板４４２により開口部４４０５Ａの光束入射側および光束射出側が閉塞されると、枠状部材４４０５内部（開口部４４０５Ａ内、および、凹部４４０５Ｆと入射側偏光板４４２との空隙）に冷却流体を封入可能とする冷却室Ｒ１（図１４または図１５参照）が形成される。
【００４８】
さらに、この枠状部材４４０５において、左側端部角隅部分および右側端部角隅部分には、図９に示すように、枠状部材４４０６と接続するための接続部４４０５Ｇが形成されている。
さらにまた、この枠状部材４４０５において、左側端部略中央部分および右側端部略中央部分には、図９に示すように、偏光板固定部材４４０８Ａが係合するフック４４０５Ｈが形成されている。
【００４９】
図１０は、枠状部材４４０６の概略構成を示す図である。具体的に、図１０（Ａ）は、枠状部材４４０６を光束射出側から見た斜視図である。また、図１０（Ｂ）は、枠状部材４４０６を光束入射側から見た斜視図である。
枠状部材４４０６は、上述した枠状部材４４０５と略同様に、略中央部分に液晶パネル４４１の画像形成領域に対応した矩形状の開口部４４０６Ａを有する平面視略矩形状のアルミニウム製の枠体である。そして、この枠状部材４４０６は、上述した枠状部材４４０５との間に、弾性部材４４０７および中間枠体４４０９を介して液晶パネル４４１を挟持するとともに、枠状部材４４０５と対向する面と反対の面側にて弾性部材４４０７を介して射出側偏光板４４３を支持する。
この枠状部材４４０６において、光束射出側端面には、図１０（Ａ）に示すように、弾性部材４４０７の後述する第４弾性部材の形状に対応して矩形枠状の凹部４４０６Ｂが形成され、この凹部４４０６Ｂにて前記第４弾性部材を介して射出側偏光板４４３を支持する。そして、枠状部材４４０６が射出側偏光板４４３の光束入射側端面を支持することで、前記第４弾性部材、および射出側偏光板４４３の光束入射側端面にて、開口部４４０６Ａにおける光束射出側が閉塞される。
【００５０】
この凹部４４０６Ｂにおける上方側角隅部分、および下方側の左右方向略中央部分には、図１０（Ａ）または図１０（Ｂ）に示すように、上述した枠状部材４４０５における３つの挿通孔４４０５Ｃ，４４０５Ｄに対応して、光束射出側端面および光束入射側端面を貫通する孔４４０６Ｃ１，４４０６Ｄ１を有し、光束入射側端面から略直交して突出する３つの突起部としての筒状部４４０６Ｃ，４４０６Ｄが形成されている。そして、枠状部材４４０６と枠状部材４４０５とを組み合わせた状態では、枠状部材４４０６における筒状部４４０６Ｃ，４４０６Ｄが枠状部材４４０５における挿通孔４４０５Ｃ，４４０５Ｄにそれぞれ挿通され、枠状部材４４０６の光束射出側および枠状部材４４０５の光束入射側を筒状部４４０６Ｃ，４４０６Ｄの孔４４０６Ｃ１，４４０６Ｄ１、および挿通孔４４０５Ｃ，４４０５Ｄを介して冷却流体が流通可能となる。
ここで、筒状部４４０６Ｃ、４４０６Ｄの内径は、例えば、１mm〜５mmが好ましく、２mm〜３mmがさらに好ましい。筒状部４４０６Ｃの内径断面積と、２つの筒状部４４０６Ｄの内径断面積の和とは、略同一断面積で構成することが好ましい。また、挿通孔４４０５Ｃ、４４０５Ｄの内径は、それぞれ筒状部４４０６Ｃ、４４０６Ｄを嵌合可能な寸法とすればよい。このような構成とすることで、筒状部４４０６Ｃおよび挿通部４４０５Ｃ、筒状部４４０６Ｄおよび挿通部４４０５Ｄを介して流通する冷却流体の流路抵抗を略同一のものとすることができ、冷却流体の流通を円滑に実施できる。
なお、筒状部４４０６Ｃの内径断面積と、２つの筒状部４４０６Ｄの内径断面積の和とを略同一断面積とする構成に限らず、異なる内径断面積とする構成を採用してもよい。
【００５１】
筒状部４４０６Ｃは、後述する流入口に対して略直交するように連通接続している。そして、この筒状部４４０６Ｃの内側面の一部は、前記流入口の中心軸と交差するように延出し、該内側面の一部には前記流入口を介して流入した冷却流体を、枠状部材４４０５の光束入射側（冷却室Ｒ１（図１４または図１５参照））および枠状部材４４０６の光束射出側（後述する冷却室Ｒ２（図１４または図１５参照））に分流する突出部４４０６Ｃ２（図１４または図１５参照）が形成されている。
突出部４４０６Ｃ２（図１４または図１５参照）は、略三角柱形状を有し、その軸方向が枠状部材４４０６の光束入射側端面および光束射出側端面と平行するように形成されている。すなわち、三角柱状の３つの側面のうち、１つの側面が筒状部４４０６Ｃの内壁に接続し、他の２つの側面が光束入射側および光束射出側にそれぞれ向くように形成されている。そして、このような突出部４４０６Ｃ２（図１４または図１５参照）により、後述する流入口を介して流入した冷却流体が前記２つの側面に案内されて枠状部材４４０５の光束入射側（冷却室Ｒ１（図１４または図１５参照））および枠状部材４４０６の光束射出側（後述する冷却室Ｒ２（図１４または図１５参照））に分流される。
【００５２】
なお、突出部４４０６Ｃ２（図１４または図１５参照）の形成位置は、前記流入口の中心軸と交差する位置に限らず、冷却流体による冷却対象となる液晶パネル４４１、入射側偏光板４４２、および射出側偏光板４４３の発熱量の大きさに応じた位置に形成すればよい。例えば、液晶パネル４４１の対向基板４４１Ｄおよび入射側偏光板４４２の発熱量が、液晶パネル４４１の駆動基板４４１Ｃおよび射出側偏光板４４３の発熱量に比較して大きい場合には、突出部４４０６Ｃ２（図１４または図１５参照）を、前記流入口の中心軸と交差する位置から光束射出側に所定距離ずらした位置に形成すればよい。逆に、液晶パネル４４１の駆動基板４４１Ｃおよび射出側偏光板４４３の発熱量が、液晶パネル４４１の対向基板４４１Ｄおよび入射側偏光板４４２の発熱量に比較して大きい場合には、突出部４４０６Ｃ２（図１４または図１５参照）を、前記流入口の中心軸と交差する位置から光束入射側に所定距離ずらした位置に形成すればよい。
また、突出部４４０６Ｃ２（図１４または図１５参照）の形状は、略三角柱状の形状に限らず、前記流入口から流入した冷却流体を光束入射側および光束射出側に分流可能な形状であれば、その他の形状であってもかまわない。例えば、前記２つの側面が内部側に窪み、前記側面が断面略凹形状となる構成、または、前記２つの側面が外側に膨出し、突出部が断面略半球状となる構成等を採用してもよい。
【００５３】
また、開口部４４０６Ａは、図１０（Ａ）に示すように、枠状部材４４０５における開口部４４０５Ａと同様に、光束入射側端面から光束射出側端面に向けて開口面積が大きくなるように、光束射出側の角部分が面取りされ、斜面４４０６Ａ１を有している。
さらに、この光束射出側端面には、図１０（Ａ）に示すように、開口部４４０６Ａの上下側端部周縁に、凹部４４０６Ｂよりも深さ寸法の大きい凹部４４０６Ｅが筒状部４４０６Ｃ，４４０６Ｄの孔４４０６Ｃ１，４４０６Ｄ１と接続するようにそれぞれ形成されている。
これら凹部４４０６Ｅのうち、上方側に位置する凹部４４０６Ｅは、左右方向略中央部分が光束入射側に向けて窪み凹となるように曲面状に形成されている。そして、この凹部４４０６Ｅの左右方向略中央部分には、冷却流体を整流する２つの整流部４４０６Ｆが立設されている。
これら整流部４４０６Ｆは、略四角柱状であり、所定の間隔を空けて配置されるとともに、２つの筒状部４４０６Ｄの孔４４０６Ｄ１と対向する角部分が内側に窪む凹曲面状に形成されている。
【００５４】
また、この枠状部材４４０６において、光束入射側端面には、図１０（Ｂ）に示すように、弾性部材４４０７の後述する第３弾性部材の形状に対応して矩形枠状の凹部４４０６Ｇが形成され、この凹部４４０６Ｇにて前記第３弾性部材を介して液晶パネル４４１の光束射出側端面を支持する。そして、枠状部材４４０６が液晶パネル４４１の光束射出側端面を支持することで、前記第３弾性部材、および液晶パネル４４１の光束射出側端面にて、開口部４４０６Ａにおける光束入射側が閉塞される。
以上のように、液晶パネル４４１および射出側偏光板４４３により開口部４４０６Ａの光束入射側および光束射出側が閉塞されると、枠状部材４４０６内部（開口部４４０６Ａ内、および、凹部４４０６Ｅと射出側偏光板４４３との空隙）に冷却流体を封入可能とする冷却室Ｒ２（図１４または図１５参照）が形成される。
【００５５】
さらに、この枠状部材４４０６において、その下方側端部略中央部分には、図１０に示すように、流体分岐部４４０１の冷却流体流出部４４０１Ｃから流出した冷却流体を内部に流入させる流入口４４０６Ｈが形成されている。この流入口４４０６Ｈは、流体循環部材４４８の管径寸法よりも小さい管径寸法を有する略筒状部材から構成され、枠状部材４４０６の外側に突出するように形成されている。そして、流入口４４０６Ｈの突出した端部には、流体分岐部４４０１の冷却流体流出部４４０１Ｃに接続された流体循環部材４４８の他端が接続され、該流体循環部材４４８を介して流体分岐部４４０１から流出した冷却流体が筒状部４４０６Ｃおよび挿通孔４４０５Ｃを介して冷却室Ｒ１（図１４または図１５参照）および冷却室Ｒ２（図１４または図１５参照）に流入する。
【００５６】
さらにまた、この枠状部材４４０６において、その上方側端部略中央部分には、図１０に示すように、冷却室Ｒ１（図１４または図１５参照）および冷却室Ｒ２（図１４または図１５参照）内の冷却流体を外部に流出させる流出口４４０６Ｉが形成されている。すなわち、流出口４４０６Ｉは、流入口４４０６Ｈの対向位置に形成されている。この流出口４４０６Ｉは、流入口４４０６Ｈと同様に、流体循環部材４４８の管径寸法よりも小さい管径寸法を有する略筒状部材から構成され、枠状部材４４０６の外側に突出するように形成されている。そして、流出口４４０６Ｉの突出した端部には、流体循環部材４４８が接続され、流入口４４０６Ｈを介して流入した冷却室Ｒ２（図１４または図１５参照）内の冷却流体、および流入口４４０６Ｈを介して流入し、筒状部４４０６Ｃの突出部４４０６Ｃ２により分流されて冷却室Ｒ１（図１４または図１５参照）内に流入し、筒状部４４０６Ｄおよび挿通孔４４０５Ｄを介して冷却室Ｒ１（図１４または図１５参照）から冷却室Ｒ２（図１４または図１５参照）へと流入した冷却流体が該流体循環部材４４８を介して外部に流出される。
本実施形態では、流入口４４０６Ｈおよび流出口４４０６Ｉの内径断面積は、筒状部４４０６Ｃの内径断面積、あるいは２つの筒状部４４０６Ｄの内径断面積の和と略同一断面積となるように設定している。このような構成とすることで、光変調素子保持体４４０２内での冷却流体の流路抵抗を略同一とすることができ、冷却流体の対流速度を速めることが可能となる。
なお、流入口４４０６Ｈおよび流出口４４０６Ｉの内径断面積を、筒状部４４０６Ｃの内径断面積、あるいは２つの筒状部４４０６Ｄの内径断面積の和と略同一断面積とする構成に限らず、異なる断面積とする構成を採用してもよい。
【００５７】
また、この枠状部材４４０６において、上方側角隅部分および下方側角隅部分には、図１０に示すように、支持部材４４０３の後述するピン状部材を挿通可能とする４つの挿通部４４０６Ｊが形成されている。
さらに、この枠状部材４４０６において、左側端部角隅部分および右側端部角隅部分には、図１０に示すように、枠状部材４４０５と接続するための接続部４４０６Ｋが形成されている。そして、枠状部材４４０５，４４０６の各接続部４４０５Ｇ，４４０６Ｋにねじ４４０６Ｍ（図８）を螺合することで、液晶パネル４４１が中間枠体４４０９、弾性部材４４０７の後述する第２弾性部材および第３弾性部材を介して枠状部材４４０５，４４０６間に挟持され、枠状部材４４０５，４４０６の各開口部４４０５Ａ，４４０６Ａの対向する面側が封止される。
さらにまた、この枠状部材４４０６において、左側端部略中央部分および右側端部略中央部分には、図１０に示すように、偏光板固定部材４４０８Ｂが係合するフック４４０６Ｌが形成されている。
【００５８】
弾性部材４４０７は、図８に示すように、入射側偏光板４４２および枠状部材４４０５の間に介在配置される第１弾性部材４４０７Ａと、枠状部材４４０５および液晶パネル４４１の間に介在配置される第２弾性部材４４０７Ｂと、液晶パネル４４１および枠状部材４４０６の間に介在配置される第３弾性部材４４０７Ｃと、枠状部材４４０６および射出側偏光板４４３の間に介在配置される第４弾性部材４４０７Ｄとで構成される。
このうち、第１弾性部材４４０７Ａおよび第４弾性部材４４０７Ｄは、図８に示すように、略矩形枠状に形成され、枠状部材４４０５，４４０６の各凹部４４０５Ｅ，４４０６Ｂにそれぞれ設置される。
また、第３弾性部材４４０７Ｃは、図８に示すように、液晶パネル４４１の画像形成領域に応じて開口部４４０７Ｃ１を有する矩形枠状に形成されている。この第３弾性部材４４０７Ｃは、中間枠体４４０９と平面的に干渉するように延出形成され、支持枠体４４０９および液晶パネル４４１に跨った状態で枠状部材４４０６の凹部４４０６Ｇに設置される（図１４または図１５参照）。
【００５９】
さらに、第２弾性部材４４０７Ｂは、図８に示すように、液晶パネル４４１の画像形成領域に応じて開口部４４０７Ｂ２を有する略矩形枠状に形成されるとともに、上方側角隅部分、および下方側端部の左右方向略中央部分に枠状部材４４０６の３つの筒状部４４０６Ｃ（図１０（Ｂ）），４４０６Ｄを挿通可能とする３つの挿通孔４４０７Ｂ１がそれぞれ形成されている。この第２弾性部材４４０７Ｂは、中間枠体４４０９の外形形状と略同様の外形形状を有し、支持枠体４４０９および液晶パネル４４１に跨った状態で枠状部材４４０５の凹部４４０５Ｂに設置される（図１４または図１５参照）。
そして、これら弾性部材４４０７は、枠状部材４４０５，４４０６の各冷却室Ｒ１，Ｒ２（図１４または図１５参照）を封止し、入射側偏光板４４２および枠状部材４４０５、枠状部材４４０５および液晶パネル４４１、液晶パネル４４１および枠状部材４４０６、枠状部材４４０６および射出側偏光板４４３の間から冷却流体が漏れることを防止するとともに、３つの筒状部４４０６Ｃ，４４０６Ｄおよび３つの挿通孔４４０５Ｃ，４４０５Ｄの接続部分から液晶パネル４４１側に冷却流体が漏れることも防止している。
【００６０】
これら弾性部材４４０７としては、弾性を有するシリコンゴムを採用でき、さらに、両面あるいは片面に表層の架橋密度を上げる表面処理を施したものが好ましい。例えば、このような弾性部材４４０７としては、サーコンＧＲ−ｄシリーズ（冨士高分子工業の商標）を採用できる。このように、端面に表面処理を施すことにより、弾性部材４４０７を各凹部４４０５Ｂ，４４０５Ｅ，４４０６Ｂ，４４０６Ｇに設置する作業を容易に実施できる。
なお、弾性部材４４０７は、シリコンゴムに限らず、水分透過量の少ないブチルゴムまたはフッ素ゴムを使用してもよい。
【００６１】
偏光板固定部材４４０８Ａ，４４０８Ｂは、入射側偏光板４４２および射出側偏光板４４３を、第１弾性部材４４０７Ａおよび第４弾性部材４４０７Ｄを介して枠状部材４４０５，４４０６の各凹部４４０５Ｅ，４４０６Ｂにそれぞれ押圧固定する。これら偏光板固定部材４４０８Ａ，４４０８Ｂは、図８に示すように、略中央部分に開口部４４０８Ａ１，４４０８Ｂ１が形成された平面視略矩形枠体で構成され、開口部４４０８Ａ１，４４０８Ｂ１周縁部分にて、入射側偏光板４４２および射出側偏光板４４３を枠状部材４４０５，４４０６に対してそれぞれ押圧する。また、これら偏光板固定部材４４０８Ａ，４４０８Ｂには、左右側端縁にそれぞれフック係合部４４０８Ａ２，４４０８Ｂ２が形成され、フック係合部４４０８Ａ２，４４０８Ｂ２を枠状部材４４０５，４４０６の各フック４４０５Ｈ，４４０６Ｌに係合させることで、枠状部材４４０５，４４０６に対して偏光板固定部材４４０８Ａ，４４０８Ｂが入射側偏光板４４２および射出側偏光板４４３を押圧した状態で固定される。
【００６２】
中間枠体４４０９は、アルミニウム製の平面視略矩形状の板体から構成され、液晶パネル４４１を保持するとともに、該液晶パネル４４１を枠状部材４４０５，４４０６の所定位置に位置決めするものである。
この中間枠体４４０９において、その略中央部分には、図８に示すように、液晶パネル４４１の対向基板４４１Ｄを嵌合可能な矩形状の開口部４４０９Ａが形成され、液晶パネル４４１の対向基板４４１Ｄを開口部４４０９Ａに嵌合させることで、中間枠体４４０９に対して液晶パネル４４１が位置決めされる。すなわち、開口部４４０９Ａの内側面が液晶パネル４４１の外形位置基準面として機能する。
また、開口部４４０９Ａの周縁には、開口部４４０９Ａに対向基板４４１Ｄを嵌合させた状態で駆動基板４４１Ｃを遊嵌状態で配置させるための段差部４４０９Ｂが形成されている。ここで、この段差部４４０９Ｂと中間枠体４４０９の光束入射側端面との間の寸法は、対向基板４４１Ｄの厚み寸法よりも小さく設定されており、開口部４４０９Ａに対向基板４４１Ｄを嵌合させ、対向基板４４１Ｄの光束入射側端面と中間枠体４４０９の光束入射側端面とを略面一とした際には、段差部４４０９Ｂと駆動基板４４１Ｃとの間に隙間４４０９Ｃ（図１４または図１５参照）が形成される。そして、この隙間４４０９Ｃ（図１４または図１５参照）に、伸び率の高い接着剤を充填させることで、液晶パネル４４１が中間枠体４４０９に対して位置決め固定される。また、中間枠体４４０９は、液晶パネル４４１の厚み寸法と略同一の厚み寸法を有し、該中間枠体４４０９に液晶パネル４４１を位置決め固定した場合には、該中間枠体４４０９の光束入射側端面および光束射出側端面が液晶パネル４４１の光束入射側端面および光束射出側端面とそれぞれ略面一となる（図１４または図１５参照）。
さらに、この段差部４４０９Ｂの上方側は、中間枠体４４０９の上方側端縁にかけて延出形成され、中間枠体４４０９に液晶パネル４４１を位置決め固定した状態では、該液晶パネル４４１のフレキシブルプリント基板４４１Ｅが折り曲げられることなく、上方側の段差部４４０９Ｂに配置される。すなわち、この段差部４４０９Ｂは、本発明に係る凹部として機能する。
【００６３】
また、この中間枠体４４０９において、上方側端部角隅部分、および下方側端部の左右方向略中央部分には、図８に示すように、枠状部材４４０６の筒状部４４０６Ｃ（図１０（Ｂ）），４４０６Ｄを挿通可能とする３つの挿通孔４４０９Ｄがそれぞれ形成されている。これら挿通孔４４０９Ｄは、枠状部材４４０６に対する中間枠体４４０９の位置決め用の孔としての機能を有し、予め、中間枠体４４０９に対して液晶パネル４４１を位置決め固定した状態で、中間枠体４４０９の３つの挿通孔４４０９Ｄに枠状部材４４０６の筒状部４４０６Ｃ，４４０６Ｄをそれぞれ挿通することで、枠状部材４４０６に対して中間枠体４４０９が位置決めされ、すなわち、液晶パネル４４１が枠状部材４４０６の所定位置に位置決めされる。そして、一対の枠状部材４４０５，４４０６および中間枠体４４０９を組み立てた状態では、一対の枠状部材４４０５，４４０６における各凹部４４０５Ｂ，４４０６Ｇの開口部分が、中間枠体４４０９の光束入射側端面および液晶パネル４４１の対向基板４４１Ｄの光束入射側端面、および、中間枠体４４０９の光束射出側端面および液晶パネル４４１の駆動基板４４１Ｃの光束射出側端面にそれぞれ閉塞され、弾性部材４４０７における第２弾性部材４４０７Ｂおよび第３弾性部材４４０７Ｃが収納される弾性部材収納部４４０７Ｅが形成される（図１４または図１５参照）。
【００６４】
支持部材４４０３は、略中央部分に図示しない開口が形成された平面視矩形枠状の板体から構成される。
この支持部材４４０３において、光束入射側端面には、図５または図６に示すように、光変調素子保持体４４０２の４つの挿通部４４０６Ｊに対応した位置に、板体から突出するピン状部材４４０３Ａが形成されている。
ところで、３つの光変調素子保持体４４０２をクロスダイクロイックプリズム４４４の各光束入射側端面に対してそれぞれ取り付ける際には、３つの液晶パネル４４１の相互の位置調整を実施する必要がある。例えば、光変調素子保持体４４０２とクロスダイクロイックプリズム４４４との間に複数のスペーサを介在させ、該スペーサの位置を移動させることで各液晶パネル４４１の相互の位置調整を実施する構成が考えられる。しかしながら、このような構成では、複数のスペーサを設置する組み立て工数が増加するとともに、修理等により各光変調素子保持体４４０２を取り外す場合でも複数のスペーサをそれぞれ取り外すという面倒な作業が生じてしまう。
本実施形態では、支持部材４４０３は、ピン状部材４４０３Ａを光変調素子保持体４４０２の４つの挿通部４４０６Ｊに挿通することで該光変調素子保持体４４０２を支持し、板体の光束射出側端面をクロスダイクロイックプリズム４４４の光束入射側端面に接着固定することで、光変調素子保持体４４０２をクロスダイクロイックプリズム４４４に一体化することができる。すなわち、上述したスペーサが、支持部材４４０３に形成されたピン状部材４４０３Ａに相当し、スペーサが支持部材４４０３に一体的に形成されていることで、光変調素子保持体４４０２をクロスダイクロイックプリズム４４４に対して取り付ける作業および取り外す作業を容易に実施できる。
【００６５】
図１１は、中継タンク４４０４の構造を示す図である。具体的に、図１１（Ａ）は、中継タンク４４０４を上方から見た平面図である。また、図１１（Ｂ）は、図１１（Ａ）におけるＣ−Ｃ線の断面図である。
中継タンク４４０４は、略円柱状のアルミニウム製の中空部材で構成され、クロスダイクロイックプリズム４４４の３つの光束入射側端面に交差する端面である上面に固定される。そして、この中継タンク４４０４は、各光変調素子保持体４４０２から送出された冷却流体を一括して送入し、送入した冷却流体を外部に送出する。
この中継タンク４４０４において、その上面には、図１１に示すように、各光変調素子保持体４４０２から送出された冷却流体を内部に流入させる３つの冷却流体流入部４４０４Ａが形成されている。これら冷却流体流入部４４０４Ａは、流体循環部材４４８の管径寸法よりも小さい管径寸法を有する略筒状部材から構成され、中継タンク４４０４内外に突出するように配置されている。そして、各冷却流体流入部４４０４Ａの外側に突出した端部には、３つの光変調素子保持体４４０２の各流出口４４０６Ｉと接続された流体循環部材４４８の他端が接続され、該流体循環部材４４８を介して各光変調素子保持体４４０２から送出された冷却流体が一括して中継タンク４４０４内部に流入する。
【００６６】
また、この中継タンク４４０４において、外側面の下方側には、図１１に示すように、送入された冷却流体を外部に流出させる冷却流体流出部４４０４Ｂが形成されている。この冷却流体流出部４４０４Ｂは、冷却流体流入部４４０４Ａと同様に、流体循環部材４４８の管径寸法よりも小さい管径寸法を有する略筒状部材から構成され、中継タンク４４０４内外に突出するように配置されている。そして、冷却流体流出部４４０４Ｂの外側に突出した端部には、流体循環部材４４８の一端が接続され、該流体循環部材４４８を介して中継タンク４４０４内部の冷却流体が外部へと流出する。
【００６７】
図１２は、ラジエータ４４７の構造、およびラジエータ４４７と軸流ファン３２との配置関係を示す図である。具体的に、図１２（Ａ）は、ラジエータ４４７および軸流ファン３２を上方から見た斜視図である。また、図１２（Ｂ）は、ラジエータ４４７および軸流ファン３２をラジエータ４４７側から見た平面図である。
ラジエータ４４７は、図１または図２に示すように、外装ケース２に形成された隔壁２１内に配置され、光学装置本体４４０において各液晶パネル４４１、各入射側偏光板４４２、および各射出側偏光板４４３にて温められた冷却流体の熱を放熱する。このラジエータ４４７は、図１２に示すように、固定部４４７１と、管状部材４４７２と、複数のフィン４４７３とを備える。
固定部４４７１は、例えば、金属等の熱伝導性部材から構成され、図１２（Ｂ）に示すように、平面視略コ字形状を有し、対向するコ字状端縁に管状部材４４７２が挿通可能に構成されている。また、この固定部４４７１は、コ字状内側面にて複数の放熱フィン４４７３を支持する。この固定部４４７１のコ字状先端部分には、外側に延出する延出部４４７１Ａが形成され、該延出部４４７１Ａの孔４４７１Ａ１を介して図示しないねじを外装ケース２に螺合することでラジエータ４４７が外装ケース２に固定される。
【００６８】
管状部材４４７２は、アルミニウムから構成され、図１２（Ｂ）に示すように、固定部４４７１の一方のコ字状先端端縁から他方のコ字状先端端縁に向けて延出し、この延出方向先端部分が略９０°屈曲して下方側に延出し、さらにこの延出方向先端部分が略９０°屈曲して固定部４４７１の他方のコ字状先端端縁から一方のコ字状先端端縁に向けて延出する平面視略コ字形状を有し、固定部４４７１および放熱フィン４４７３と熱伝達可能に接続する。また、この管状部材４４７２は、流体循環部材４４８の管径寸法よりも小さい管径寸法を有し、図１２（Ｂ）に示す上方側の一端が、光学装置本体４４０における中継タンク４４０４の冷却流体流出部４４０４Ｂと接続した流体循環部材４４８の他端と接続する。また、図１２（Ｂ）に示す下方側の他端が、メインタンク４４５の冷却流体流入部４４５Ａと接続した流体循環部材４４８の他端と接続する。したがって、中継タンク４４０４から流出した冷却流体が流体循環部材４４８を介して管状部材４４７２を通り、管状部材４４７２を通った冷却流体が流体循環部材４４８を介してメインタンク４４５内に流入する。
【００６９】
放熱フィン４４７３は、例えば、金属等の熱伝導性部材からなる板体で構成され、管状部材４４７２を挿通可能に構成されている。そして、複数の放熱フィン４４７３は、管状部材４４７２の挿通方向と直交する方向に延びるようにそれぞれ形成され、管状部材４４７２の挿通方向に沿って並列配置している。このような複数の放熱フィン４４７３の配置状態では、図１２に示すように、軸流ファン３２から吐出される冷却空気は、複数の放熱フィン４４７３の間を通り抜けることになる。
【００７０】
以上説明したように、冷却流体は、複数の流体循環部材４４８を介して、メインタンク４４５〜流体圧送部４４６〜流体分岐部４４０１〜各光変調素子保持体４４０２〜中継タンク４４０４〜ラジエータ４４７〜メインタンク４４５という流路を循環する。
【００７１】
次に、液晶パネル４４１、入射側偏光板４４２、および射出側偏光板４４３の冷却構造を説明する。
図１３ないし図１５は、液晶パネル４４１、入射側偏光板４４２、および射出側偏光板４４３の冷却構造を説明するための図である。具体的に、図１３は、光変調素子保持体４４０２を光束射出側から見た平面図である。図１４は、図１３におけるＤ−Ｄ線の断面図である。図１５は、図１３におけるＥ−Ｅ線の断面図である。
流体圧送部４４６が駆動することにより、流体循環部材４４８を介して、メインタンク４４５内の冷却流体が流体圧送部４４６内に送入されるとともに、流体圧送部４４６から流体分岐部４４０１に送出される。
【００７２】
そして、流体分岐部４４０１内に送入された冷却流体は、流体分岐部４４０１の各冷却流体流出部４４０１Ｃから流出し、流体循環部材４４８を介して、図１３ないし図１５に示すように、各光変調素子保持体４４０２の各流入口４４０６Ｈから各光変調素子保持体４４０２内部へと流入する。
各光変調素子保持体４４０２内部に流入した冷却流体は、図１４または図１５に示すように、筒状部４４０６Ｃの突出部４４０６Ｃ２にて分流され、冷却室Ｒ１および冷却室Ｒ２に流入する。
ここで、光源装置４１１から射出された光束により、液晶パネル４４１、入射側偏光板４４２、および射出側偏光板４４３に生じた熱は、各冷却室Ｒ１，Ｒ２内の冷却流体に伝達される。
冷却室Ｒ２内の冷却流体に伝達された熱は、図１４に示すように、冷却流体の流れにしたがって、図１４中、上方に向けて進み、流出口４４０６Ｉを介して冷却室Ｒ２外部へと移動する。
一方、冷却室Ｒ１内の冷却流体に伝達された熱は、図１４に示すように、冷却流体の流れにしたがって、図１４中、上方に向けて移動する。また、上方に向けて移動した熱は、冷却流体の流れにしたがって、枠状部材４４０５における上方側の凹部４４０５Ｆ（図９（Ｂ））の側壁により、左右側の角隅部分へと案内される。そして、左右側の角隅部分へと案内された熱は、図１５に示すように、冷却流体の流れにしたがって、左右側の角隅部分に位置する２つの挿通孔４４０５Ｄおよびこれら挿通孔４４０５Ｄと接続する２つの筒状部４４０６Ｄを介して、冷却室Ｒ２内に移動し、整流部４４０６Ｆ（図１０（Ａ））にて整流されて、流出口４４０６Ｉを介して冷却室Ｒ２外部へと移動する。
【００７３】
流出口４４０６Ｉを介して光変調素子保持体４４０２外部へと移動した熱は、冷却流体の流れにしたがって、冷却室Ｒ１，Ｒ２〜中継タンク４４０４〜ラジエータ４４７へと移動する。温められた冷却流体がラジエータ４４７の管状部材４４７２を通過する際、該冷却流体の熱は、管状部材４４７２〜複数の放熱フィン４４７３に伝達される。そして、軸流ファン３２から吐出される冷却空気により、複数の放熱フィン４４７３に伝達された熱が冷却される。
そして、ラジエータ４４７にて冷却された冷却流体は、ラジエータ４４７〜メインタンク４４５〜流体圧送部４４６〜流体分岐部４４０１へと移動し、再度、冷却室Ｒ１，Ｒ２へと移動する。
【００７４】
また、冷却ユニット３のシロッコファン３１によりプロジェクタ１外部から内部に導入された冷却空気は、光学部品用筐体４５の底面に形成された孔４５１Ｃを介して光学部品用筐体４５内に導入される。光学部品用筐体４５内に導入された冷却空気は、光変調素子保持体４４０２の外面、および光変調素子保持体４４０２と支持部材４４０３との間に流入し、下方から上方に向けて流通する。この際、冷却空気は、入射側偏光板４４２の光束入射側端面および射出側偏光板４４３の光束射出側端面を冷却しながら流通する。
【００７５】
上述した第１実施形態においては、光変調素子保持体４４０２を構成する中間枠体４４０９は、内側面が外形位置基準面として機能する開口部４４０９Ａに液晶パネル４４１の対向基板４４１Ｄを嵌合させることで、該中間枠体４４０９に対して液晶パネル４４１の外形位置を規制するので、従来の筐体内部に液晶パネルが収納配置される構成と比較して、光変調素子保持体４４０２に対する液晶パネル４４１の位置決め精度を向上できる。また、中間枠体４４０９にて液晶パネル４４１の外周方向の移動が規制され、第２弾性部材４４０７Ｂおよび第３弾性部材４４０７Ｃおよび一対の枠状部材４４０５，４４０６にて液晶パネル４４１の厚み方向および傾き方向の移動が規制されるので、長期間使用した場合であっても、光変調素子保持体４４０２に対して液晶パネル４４１が位置ずれを起こす虞もない。
また、一対の枠状部材４４０５，４４０６の開口部４４０５Ａ，４４０６Ａが、中間枠体４４０９、弾性部材４４０７、液晶パネル４４１、入射側偏光板４４２、および射出側偏光板４４３にてそれぞれ閉塞されることにより、液晶パネル４４１の光束入射側および光束射出側の双方に冷却室Ｒ１，Ｒ２が形成されるので、液晶パネル４４１を冷却流体により効率的に冷却できる。
ここで、光変調素子保持体４４０２を組み立てる際、予め中間枠体４４０９に対して液晶パネル４４１を位置決め固定した状態で枠状部材４４０６に取り付けるので、従来のような裸状態の液晶パネルを筐体内に収納配置する構成と比較して、液晶パネル４４１の取り扱い時に他の部材に衝突して該液晶パネル４４１が破損することを回避できる。
【００７６】
また、中間枠体４４０９は、液晶パネル４４１を位置決め固定した際、液晶パネル４４１の光束入射側端面および光束射出側端面と略面一となるので、液晶パネル４４１の外周が中間枠体４４０９の開口部４４０９Ａ内側面により覆われることとなる。このため、光変調素子保持体４４０２を組み立てた状態で、弾性部材４４０７の第２弾性部材４４０７Ｂおよび第３弾性部材４４０７Ｃが液晶パネル４４１および一対の枠状部材４４０５，４４０６により押圧された際、その反力により第２弾性部材４４０７Ｂおよび第３弾性部材４４０７Ｃが液晶パネル４４１の外周方向に逃げることを回避できる。したがって、第２弾性部材４４０７Ｂおよび第３弾性部材４４０７Ｃにより液晶パネル４４１および一対の枠状部材４４０５，４４０６間における冷却流体の防水性を確保できる。
【００７７】
さらに、第２弾性部材４４０７Ｂおよび第３弾性部材４４０７Ｃは、中間枠体４４０９と平面的に干渉するように延出形成され、中間枠体４４０９および液晶パネル４４１に跨った状態で一対の枠状部材４４０５，４４０６における各凹部４４０５Ｂ，４４０６Ｇに設置されるので、例えば第２弾性部材４４０７Ｂおよび第３弾性部材４４０７Ｃが中間枠体４４０９と平面的に干渉せずに、液晶パネル４４１のみと一対の枠状部材４４０５，４４０６との間にそれぞれ介在配置される構成と比較して、第２弾性部材４４０７Ｂおよび第３弾性部材４４０７Ｃの体積を増加できる。また、中間枠体４４０９は、液晶パネル４４１の光束入射側端面および光束射出側端面と略面一となるので、該中間枠体４４０９および液晶パネル４４１と一対の枠状部材４４０５，４４０６とで第２弾性部材４４０７Ｂおよび第３弾性部材４４０７Ｃを押圧した際に、第２弾性部材４４０７Ｂおよび第３弾性部材４４０７Ｃの潰し代を均一化できる。したがって、第２弾性部材４４０７Ｂおよび第３弾性部材４４０７Ｃにより液晶パネル４４１および一対の枠状部材４４０５，４４０６間における冷却流体の防水性をさらに確保できる。
【００７８】
さらにまた、光変調素子保持体４４０２を組み立てた際、一対の枠状部材４４０５，４４０６における各凹部４４０５Ｂ，４４０６Ｇの開口部分が中間枠体４４０９および液晶パネル４４１にて閉塞されることで弾性部材収納部４４０７Ｅが形成されるので、第２弾性部材４４０７Ｂおよび第３弾性部材４４０７Ｃが中間枠体４４０９および液晶パネル４４１と一対の枠状部材４４０５，４４０６とで押圧された際の反力、および各冷却室Ｒ１，Ｒ２内の冷却流体の圧力変化等によっても、第２弾性部材４４０７Ｂおよび第３弾性部材４４０７Ｃが位置ずれを起こすことがない。したがって、第２弾性部材４４０７Ｂおよび第３弾性部材４４０７Ｃにより液晶パネル４４１および一対の枠状部材４４０５，４４０６間における冷却流体の防水性をさらに一層確保できる。
【００７９】
また、中間枠体４４０９にて液晶パネル４４１の外形位置を規制でき、中間枠体４４０９の挿通孔４４０９Ｄに枠状部材４４０６の筒状部４４０６Ｃ，４４０６Ｄを挿通することで枠状部材４４０６に対する中間枠体４４０９の位置を規制できる。したがって、光変調素子保持体４４０２に対する液晶パネル４４１の位置決め精度を簡単な構造でさらに向上できる。また、中間枠体４４０９の挿通孔４４０９Ｄに枠状部材４４０６の筒状部４４０６Ｃ，４４０６Ｄを挿通することで、長期間使用した場合であっても、一対の枠状部材４４０５，４４０６に対して中間枠体４４０９が位置ずれを起こすこともなく、すなわち、光変調素子保持体４４０２に対する液晶パネル４４１の位置ずれを回避できる。さらに、このような構成では、光変調素子保持体４４０２の組み立てを簡単な構造で容易に実施できる。
【００８０】
ここで、筒状部４４０６Ｃ，４４０６Ｄには冷却室Ｒ２内部と連通する孔４４０６Ｃ１，４４０６Ｄ１を有し、枠状部材４４０５には冷却室Ｒ１内部と連通する挿通孔４４０５Ｃ，４４０５Ｄが形成されているので、各枠状部材４４０５，４４０６を組み立てる際に、挿通孔４４０５Ｃ，４４０５Ｄに筒状部４４０６Ｃ，４４０６Ｄを挿通することで、各冷却室Ｒ１，Ｒ２を連通接続できる。
このため、冷却室Ｒ１，Ｒ２間で冷却流体を流通させることができ、液晶パネル４４１の光束入射側および光束射出側を略同一の温度である冷却流体により冷却でき、液晶パネル４４１における光束入射側および光束射出側の温度の均一化を図れる。また、例えば、流体循環部材にて各冷却室Ｒ１，Ｒ２を連通接続する構成と比較して、光変調素子保持体４４０２をコンパクトにでき、光変調素子保持体４４０２の小型化および軽量化が可能な構成となる。
【００８１】
また、光変調素子保持体４４０２は、各１つの流入口４４０６Ｈおよび流出口４４０６Ｉを有し、流入口４４０６Ｈを介して流入した冷却流体を筒状部４４０６Ｃおよび挿通孔４４０５Ｃにて各冷却室Ｒ１，Ｒ２に分流し、各冷却室Ｒ１，Ｒ２内の冷却流体を２つの筒状部４４０６Ｄおよび挿通孔４４０５Ｄにて合流させ、流出口４４０６Ｉを介して外部に流出させるので、複数の流体循環部材４４８にて流入口４４０６Ｈおよび流出口４４０６Ｉを接続することで、各冷却室Ｒ１，Ｒ２内の冷却流体を容易に対流させることができ、液晶パネル４４１により温められた冷却流体が冷却室Ｒ１，Ｒ２内に滞留することを回避できる。したがって、液晶パネル４４１により冷却流体が温められて液晶パネル４４１と冷却流体との温度差が小さくなることがなく、冷却流体により光変調素子を効率的に冷却できる。
ここで、各冷却室Ｒ１，Ｒ２が３つの筒状部４４０６Ｃ，４４０６Ｄおよび３つの挿通孔４４０５Ｃ，４４０５Ｄにて連通接続されるので、流入口４４０６Ｈおよび流出口４４０６Ｉを各冷却室Ｒ１，Ｒ２に応じて２つずつ設けなくてもよく、光変調素子保持体４４０２に各１つのみの流入口４４０６Ｈおよび流出口４４０６Ｉを設ける構成を採用できる。このことにより、流入口４４０６Ｈおよび流出口４４０６Ｉを各冷却室Ｒ１，Ｒ２に応じて２つずつ設ける構成に比較して、流入口４４０６Ｈおよび流出口４４０６Ｉを接続する流体循環部材４４８の引き回し本数を低減できる。
したがって、流入口４４０６Ｈおよび流出口４４０６Ｉへの流体循環部材４４８の接続作業を容易に実施できる。また、接続箇所を削減することで、冷却流体が漏れる箇所も低減できる。さらに、光変調素子保持体４４０２周りのスペース効率の向上が図れる。さらにまた、流体循環部材４４８を光変調素子保持体４４０２に接続した状態で流体循環部材４４８による光変調素子保持体４４０２に対する反力を低減でき、クロスダイクロイックプリズム４４４に対する各光変調素子保持体４４０２の相互の位置ずれを回避し、各液晶パネル４４１間の画素ずれを抑制できる。
【００８２】
また、弾性部材４４０７を構成する第２弾性部材４４０７Ｂには、枠状部材４４０６における３つの筒状部４４０６Ｃ，４４０６Ｄに対応して３つの挿通孔４４０７Ｂ１が形成されているので、光変調素子保持体４４０２を組み立てた状態で、第２弾性部材４４０７Ｂが枠状部材４４０５および液晶パネル４４１により押圧された際、該第２弾性部材４４０７Ｂにおける挿通孔４４０７Ｂ１を筒状部４４０６Ｃ，４４０６Ｄおよび挿通孔４４０５Ｃ，４４０５Ｄの接続部分に圧接させることができる。したがって、筒状部４４０６Ｃ，４４０６Ｄおよび挿通孔４４０５Ｃ，４４０５Ｄを介して各冷却室Ｒ１，Ｒ２間を流通する冷却流体の漏れを簡単な構成で確実に防止できる。また、枠状部材４４０５および液晶パネル４４１間の冷却流体の漏れを防止する部材、および、筒状部４４０６Ｃ，４４０６Ｄおよび挿通孔４４０５Ｃ，４４０５Ｄの接続部分からの冷却流体の漏れを防止する部材を一体化させることで、部材を省略でき、光変調素子保持体４４０２の組み立て工数を低減できる。
【００８３】
さらに、中間枠体４４０９には、液晶パネル４４１を構成するフレキシブルプリント基板４４１Ｅを遊嵌状態で配置させる段差部４４０９Ｂが形成されているので、中間枠体４４０９が開口部４４０９Ａにて液晶パネル４４１を支持した際でも、該中間枠体４４０９とフレキシブルプリント基板４４１Ｅとが干渉することなく、フレキシブルプリント基板４４１Ｅに掛かる外力が駆動基板４４１Ｃおよび対向基板４４１Ｄに影響を及ぼすことを防止できる。したがって、光変調素子保持体４４０２に対する液晶パネル４４１の位置決め精度を良好に維持できる。
【００８４】
また、一対の枠状部材４４０５，４４０６および中間枠体４４０９は、アルミニウムの同一材料から構成されているので、温度変化による寸法変化量を均一化でき、第２弾性部材４４０７Ｂおよび第３弾性部材４４０７Ｃの潰し代の変化を抑制できる。したがって、一対の枠状部材４４０５，４４０６および液晶パネル４４１間における冷却流体の防水性を良好に維持できる。
【００８５】
そして、光学装置本体４４０は入射側偏光板４４２および射出側偏光板４４３を含んで構成され、冷却室Ｒ１，Ｒ２は、液晶パネル４４１と、入射側偏光板４４２および射出側偏光板４４３の透光性基板４４２Ａ，４４３Ａとで開口部４４０５Ａ，４４０６Ａの光束入射側および光束射出側がそれぞれ閉塞されることで形成されるので、液晶パネル４４１のみならず、入射側偏光板４４２の偏光膜、および射出側偏光板４４３の偏光膜４４３Ｂに生じた熱も、透光性基板４４２Ａ，４４３Ａを介して冷却室Ｒ１，Ｒ２を対流する冷却流体に放熱でき、入射側偏光板４４２および射出側偏光板４４３も効率的に冷却できる。
また、光学装置本体４４０は、３つの液晶パネル４４１、３つの光変調素子保持体４４０２、およびクロスダイクロイックプリズム４４４を含んで構成され、上述したように、光変調素子保持体４４０２に対する液晶パネル４４１の位置決め精度が向上されているので、各液晶パネル４４１相互の位置ずれも抑制でき、光学装置本体４４０にて画素ずれのない良好な光学像を形成できる。
【００８６】
さらに、メインタンク４４５、流体圧送部４４６、複数の流体循環部材４４８、流体分岐部４４０１、一対の枠状部材４４０５，４４０６、中継タンク４４０４、およびラジエータ４４７における管状部材４４７２は、耐食性を有するアルミニウムで構成されていることにより、長期間、冷却流体と接触した場合でも化学反応を生じることを防止することができる。すなわち、化学反応による反応性物質による冷却流体の着色等を回避し、冷却室Ｒ１，Ｒ２内を通過する光束の光学特性が変更されることを防止できる。
そしてまた、プロジェクタ１は、各液晶パネル４４１の位置決め精度が向上された光学装置本体４４０を備えているので、光源装置４１１から射出された光束の光軸に対する各液晶パネル４４１の位置がずれることがなく、投射レンズ５にて画素ずれのない良好な光学像をスクリーン上に投影できる。
【００８７】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、光学装置本体４４０において、光変調素子保持体４４０２の流入口４４０６Ｈおよび流出口４４０６Ｉは、枠状部材４４０６の上下端部の対向位置にそれぞれ形成されている。そして、中間枠体４４０９および第２弾性部材４４０７Ｂには、３つの筒状部４４０６Ｃ，４４０６Ｄに対応して、３つの挿通孔４４０９Ａ，４４０７Ｂ１がそれぞれ形成されている。
これに対して第２実施形態では、光学装置本体５４０において、光変調素子保持体５４０２の流入口５４０６Ｈおよび流出口５４０６Ｉは、枠状部材５４０６の一側端部である上端部にそれぞれ形成されている。そして、枠状部材５４０６には２つの筒状部５４０６Ｃ，５４０６Ｄが形成され、これに対応して中間枠体５４０９および第２弾性部材５４０７Ｂには、２つの挿通孔５４０９Ｄ，５４０７Ｂ１がそれぞれ形成されている。光学装置本体５４０を除くその他の構成は、前記第１実施形態と同様のものとする。
【００８８】
具体的に、図１６および図１７は、第２実施形態における光学装置本体５４０の概略構成を示す図である。図１６は、光学装置本体５４０を上方から見た斜視図であり、図１７は、光学装置本体５４０を下方から見た斜視図である。
光学装置本体５４０は、前記第１実施形態で説明した液晶パネル４４１、入射側偏光板４４２、射出側偏光板４４３、クロスダイクロイックプリズム４４４、および支持部材４４０３の他、中継タンク５４０４（図１６）と、プリズム固定板５４０１と、３つの光変調素子保持体５４０２とを備える。
中継タンク５４０４は、前記第１実施形態で説明した中継タンク４４０４と同様の構成を有し、前記中継タンク４４０４の冷却流体流入部４４０４Ａおよび冷却流体流出部４４０４Ｂの機能が逆になった点が異なるのみである。この中継タンク５４０４は、図１６に示すように、前記中継タンク４４０４の冷却流体流出部４４０４Ｂが、外部から冷却流体を内部に流入させる冷却流体流入部５４０４Ａとして機能する。すなわち、冷却流体流入部５４０４Ａの外側に突出した一端には、具体的な図示は省略するが、流体圧送部４４６（図２または図３）に連通接続された流体循環部材４４８の他端が接続され、該流体循環部材４４８を介して流体圧送部４４６から圧送された冷却流体が中継タンク５４０４内部に流入する。
【００８９】
また、この中継タンク５４０４は、図１６に示すように、前記中継タンク４４０４の３つの冷却流体流入部４４０４Ａが、内部の冷却流体を各光変調素子保持体５４０２に分岐して流出させる３つの冷却流体流出部５４０４Ｂとして機能する。これら３つの冷却流体流出部５４０４Ｂの外側に突出した一端には、図１６に示すように、３つの流体循環部材４４８の一端がそれぞれ接続され、各流体循環部材４４８の他端が各光変調素子保持体５４０２の後述する流入口とそれぞれ接続され、これら流体循環部材４４８を介して中継タンク５４０４内部の冷却流体が分岐されて各光変調素子保持体５４０２へと流出する。
【００９０】
プリズム固定板５４０１は、前記第１実施形態で説明した流体分岐部４４０１と略同様の形状を有し、クロスダイクロイックプリズム４４４を支持する機能のみを有するものである。すなわち、このプリズム固定板５４０１は、前記第１実施形態で説明した流体分岐部４４０１の冷却流体流入部４４０１Ａおよび冷却流体流出部４４０１Ｃが省略され、前記流体分岐部４４０１の腕部４４０１Ｂ（孔４４０１Ｂ１を含む）および膨出部４４０１Ｄと同様の、腕部５４０１Ｂ（孔５４０１Ｂ１を含む）および図示しない膨出部を有している。
【００９１】
図１８は、光変調素子保持体５４０２の概略構成を示す分解斜視図である。
３つの光変調素子保持体５４０２は、前記第１実施形態で説明した光変調素子保持体４４０２と略同様に、３つの液晶パネル４４１、３つの入射側偏光板４４２、および３つの射出側偏光板４４３をそれぞれ保持するとともに、内部に冷却流体が流入および流出し、該冷却流体により３つの液晶パネル４４１、３つの入射側偏光板４４２、および３つの射出側偏光板４４３をそれぞれ冷却する。なお、各光変調素子保持体５４０２は、同様の構成であり、以下では１つの光変調素子保持体５４０２のみを説明する。この光変調素子保持体５４０２は、図１８に示すように、前記第１実施形態で説明した一対の偏光板固定部材４４０８Ａ，４４０８Ｂの他、一対の枠状部材５４０５，５４０６と、４つの弾性部材５４０７と、支持枠体としての中間枠体５４０９とを備える。
【００９２】
図１９は、枠状部材５４０５の概略構成を示す図である。具体的に、図１９（Ａ）は、枠状部材５４０５を光束射出側から見た斜視図である。また、図１９（Ｂ）は、枠状部材５４０５を光束入射側から見た斜視図である。
枠状部材５４０５は、枠状部材５４０６に対して光束入射側に配置され、液晶パネル４４１の光束入射側を支持するとともに、入射側偏光板４４２の光束射出側を支持するものであり、その具体的な構造は、前記第１実施形態で説明した枠状部材４４０５と略同様である。すなわち、この枠状部材５４０５は、前記第１実施形態で説明した枠状部材４４０５の開口部４４０５Ａ（斜面４４０５Ａ１を含む）、凹部４４０５Ｂ，４４０５Ｅ，４４０５Ｆ、挿通孔４４０５Ｃ，４４０５Ｄ、接続部４４０５Ｇ、およびフック４４０５Ｈと略同様の、開口部５４０５Ａ（斜面５４０５Ａ１を含む）、凹部５４０５Ｂ，５４０５Ｅ，５４０５Ｆ、突起部挿通孔としての挿通孔５４０５Ｃ，５４０５Ｄ、接続部５４０５Ｇ、およびフック５４０５Ｈを有している。
このうち、挿通孔５４０５Ｃ，５４０５Ｄは、枠状部材５４０６の後述する２つの筒状部に対応して２つ形成されている。すなわち、前記第１実施形態で説明した２つの挿通孔４４０５Ｄのうちの１つの挿通孔４４０５Ｄが省略されている。
また、凹部５４０５Ｆは、２つの挿通孔５４０５Ｃ，５４０５Ｄと接続するように、開口部５４０５Ａの上下側端部周縁にそれぞれ形成されている。ここで、これら凹部５４０５Ｆのうち、上方側に位置する凹部５４０５Ｆの上方側の側壁は、挿通孔５４０５Ｄから離間するにしたがって、開口部５４０５Ａに近接するように曲面状に形成されている。
【００９３】
以上のような構成では、枠状部材５４０５は、前記第１実施形態で説明した枠状部材４４０５と同様に、凹部５４０５Ｂにて弾性部材５４０７の後述する第２弾性部材および中間枠体５４０９を介して液晶パネル４４１の光束入射側端面を支持することで、開口部５４０５Ａの光束射出側が閉塞される。また、枠状部材５４０５に対して偏光板固定部材４４０８Ａを固定することで、入射側偏光板４４２が弾性部材５４０７の後述する第１弾性部材を介して枠状部材５４０５に押圧され、枠状部材５４０５の開口部５４０５Ａの光束入射側が封止される。そして、枠状部材５４０５の開口部５４０５Ａの光束入射側および光束射出側が閉塞されることで、枠状部材５４０５内部（開口部５４０５Ａ内、および、凹部５４０５Ｆと入射側偏光板４４２との空隙）に冷却流体を封入可能とする冷却室Ｒ３（図２２または図２３参照）が形成される。
【００９４】
図２０は、枠状部材５４０６の概略構成を示す図である。具体的に、図２０（Ａ）は、枠状部材５４０６を光束射出側から見た斜視図である。また、図２０（Ｂ）は、枠状部材５４０６を光束入射側から見た斜視図である。
枠状部材５４０６は、上述した枠状部材５４０５との間に、弾性部材５４０７および中間枠体５４０９を介して液晶パネル４４１を挟持するとともに、枠状部材５４０５と対向する面と反対の面側にて弾性部材５４０７を介して射出側偏光板４４３を支持するものであり、その具体的な構造は、前記第１実施形態で説明した枠状部材４４０６と略同様である。すなわち、この枠状部材５４０６は、前記第１実施形態で説明した枠状部材４４０６の開口部４４０６Ａ（斜面４４０６Ａ１を含む）、凹部４４０６Ｂ，４４０６Ｅ，４４０６Ｇ、筒状部４４０６Ｃ，４４０６Ｄ（孔４４０６Ｃ１，４４０６Ｄ１を含む）、挿通部４４０６Ｊ、接続部４４０６Ｋ、およびフック４４０６Ｌと略同様の、開口部５４０６Ａ（斜面５４０６Ａ１を含む）、凹部５４０６Ｂ，５４０６Ｅ，５４０６Ｇ、突起部としての筒状部５４０６Ｃ，５４０６Ｄ（孔５４０６Ｃ１，５４０６Ｄ１を含む）、挿通部５４０６Ｊ、接続部５４０６Ｋ、およびフック５４０６Ｌを有している。
【００９５】
このうち、筒状部５４０６Ｃ，５４０６Ｄは、図２０に示すように、凹部５４０６Ｂにおける上方側角隅部分の一方（光束射出側から見て左側の角隅部分）、および下方側の左右方向略中央部分にそれぞれ形成されている。すなわち、枠状部材５４０６は、前記第１実施形態で説明した枠状部材４４０６における２つの筒状部４４０６Ｄのうちの一方が省略された構成となる。そして、枠状部材５４０６と枠状部材５４０５とを組み合わせた状態では、枠状部材５４０６における２つの筒状部５４０６Ｃ，５４０６Ｄが枠状部材５４０５における２つの挿通孔５４０５Ｃ，５４０５Ｄにそれぞれ挿通され、枠状部材５４０６の光束射出側および枠状部材５４０５の光束入射側を筒状部５４０６Ｃ，５４０６Ｄの孔５４０６Ｃ１，５４０６Ｄ１、および２つの挿通孔５４０５Ｃ，５４０５Ｄを介して冷却流体が流通可能となる。
なお、筒状部５４０６Ｃは、前記第１実施形態で説明した筒状部４４０６Ｃに対応する形状を有しているが、該筒状部５４０６Ｃには前記筒状部４４０６Ｃにおける突出部４４０６Ｃ２が形成されていないものとする。
【００９６】
また、この枠状部材５４０６において、その上方側端部には、図２０に示すように、光束射出側から見て左右方向略中央部分より右側にずれた位置に、上方側に位置する凹部５４０６Ｅの上方側の側壁に貫通する流入口５４０６Ｈが形成されている。この流入口５４０６Ｈは、前記第１実施形態の流入口４４０６Ｈと同様の形状を有し、枠状部材５４０６の外側に突出した端部には、中継タンク５４０４の冷却流体流出部５４０４Ｂに接続された流体循環部材４４８の他端が接続され、該流体循環部材４４８を介して中継タンク５４０４から流出した冷却流体が内部（後述する冷却室Ｒ４）に流入する。
【００９７】
さらに、この枠状部材５４０６において、その上方側端部には、図２０に示すように、光束射出側から見て左右方向略中央部分より左側にずれた位置に、上方側に位置する凹部５４０６Ｅの上方側の側壁に貫通する流出口５４０６Ｉが形成されている。そして、流入口５４０６Ｈおよび流出口５４０６Ｉは、左右方向略中央部分を中心として略対称配置されている。この流出口５４０６Ｉは、前記第１実施形態の流出口４４０６Ｉと同様の形状を有し、枠状部材５４０６の外側に突出した端部には、具体的な図示は省略するが、ラジエータ４４７における管状部材４４７２（図１２）の上方側の一端に接続された流体循環部材の他端が接続され、該流体循環部材を介して内部（後述する領域Ｒ４Ｂ）の冷却流体がラジエータ４４７へと送出される。
なお、前記流体循環部材は、具体的な図示は省略するが、他端が３つに分岐された管状部材で構成され、各他端が３つの光変調素子保持体５４０２の各流出口５４０６Ｉにそれぞれ接続し、３つの光変調素子保持体５４０２から流出した冷却流体を一括してラジエータ４４７へと送出するものとする。
【００９８】
さらにまた、この枠状部材５４０６において、上方側に位置する凹部５４０６Ｅには、図２０（Ａ）に示すように、流出口５４０６Ｉが該凹部５４０６Ｅの側壁に連通する部位と孔５４０６Ｄ１とを囲う隔壁５４０６Ｎが立設されている。
以上のような構成では、前記第１実施形態で説明した光変調素子保持体４４０２と同様に、枠状部材５４０５，５４０６の各接続部５４０５Ｇ，５４０６Ｋにねじ５４０６Ｍ（図１８）を螺合することで、液晶パネル４４１が中間枠体５４０９および弾性部材５４０７の後述する第２弾性部材を介して枠状部材５４０５に押圧されるとともに、中間枠体５４０９および弾性部材５４０７の後述する第３弾性部材を介して枠状部材５４０６に押圧され、枠状部材５４０５の開口部５４０５Ａの光束射出側、および枠状部材５４０６の開口部５４０６Ａの光束入射側が封止される。また、枠状部材５４０６に対して偏光板固定部材４４０８Ｂを固定することで、射出側偏光板４４３が弾性部材５４０７の後述する第４弾性部材を介して枠状部材５４０６に押圧され、枠状部材５４０６の開口部５４０６Ａの光束射出側が封止される。そして、枠状部材５４０６の開口部５４０６Ａの光束入射側および光束射出側が閉塞されると、枠状部材５４０６内部（開口部５４０６Ａ内、および、凹部５４０６Ｅと射出側偏光板４４３との空隙）に冷却流体を封入可能とする冷却室Ｒ４（図２２または図２３参照）が形成される。この際、冷却室Ｒ４は、隔壁５４０６Ｎにより、流入口５４０６Ｈおよび筒状部５４０６Ｃの孔５４０６Ｃ１が連通する領域Ｒ４Ａ（図２２または図２３参照）と、流出口５４０６Ｉおよび筒状部５４０６Ｄの孔５４０６Ｄ１が連通する領域Ｒ４Ｂ（図２２または図２３参照）とに区画される。
【００９９】
４つの弾性部材５４０７は、前記第１実施形態で説明した第１弾性部材４４０７Ａ、第３弾性部材４４０７Ｃ、および第４弾性部材４４０７Ｄの他、第２弾性部材５４０７Ｂを備える。これら弾性部材５４０７の材料は、前記第１実施形態で説明した弾性部材４４０７と同様に、シリコンゴム、水分透過量の少ないブチルゴムまたはフッ素ゴム等を採用できる。
第２弾性部材５４０７Ｂは、前記第１実施形態で説明した第２弾性部材４４０７Ｂと略同様の形状であり、開口部４４０７Ｂ２に対応する開口部５４０７Ｂ２を有し、異なる点は、枠状部材５４０６の２つの筒状部５４０６Ｃ，５４０６Ｄに対応して２つの挿通孔５４０７Ｂ１がそれぞれ形成されている点のみである。
中間枠体５４０９も同様に、前記第１実施形態で説明した中間枠体４４０９と略同様の形状を有し、異なる点は、枠状部材５４０６の２つの筒状部５４０６Ｃ，５４０６Ｄに対応して２つの挿通孔５４０９Ｄがそれぞれ形成されている点のみである。すなわち、この中間枠体５４０９には、図１８に示すように、前記中間枠体４４０９の開口部４４０９Ａおよび段差部４４０９Ｂ（隙間４４０９Ｃを含む）と同様の、開口部５４０９Ａおよび段差部５４０９Ｂ（隙間５４０９Ｃ（図２２または図２３参照）を含む）が形成されている。そして、一対の枠状部材５４０５，５４０６および中間枠体５４０９を組み立てた状態では、前記第１実施形態で説明した弾性部材収納部４４０７Ｅと略同様に、一対の枠状部材５４０５，５４０６における各凹部５４０５Ｂ，５４０６Ｇの開口部分が、中間枠体５４０９の光束入射側端面および液晶パネル４４１の対向基板４４１Ｄの光束入射側端面、および、中間枠体５４０９の光束射出側端面および液晶パネル４４１の駆動基板４４１Ｃの光束射出側端面にそれぞれ閉塞され、弾性部材５４０７における第２弾性部材５４０７Ｂおよび第３弾性部材４４０７Ｃが収納される弾性部材収納部５４０７Ｅが形成される（図２２または図２３参照）。
【０１００】
以上説明したように、冷却流体は、複数の流体循環部材４４８を介して、メインタンク４４５（図４）〜流体圧送部４４６（図３）〜中継タンク５４０４（図１６）〜各光変調素子保持体５４０２（図１６または図１７）〜ラジエータ４４７（図１２）〜メインタンク４４５（図４）という流路を循環する。
【０１０１】
次に、液晶パネル４４１、入射側偏光板４４２、および射出側偏光板４４３の冷却構造を説明する。
図２１ないし図２３は、液晶パネル４４１、入射側偏光板４４２、および射出側偏光板４４３の冷却構造を説明するための図である。具体的に、図２１は、光変調素子保持体５４０２を光束射出側から見た平面図である。図２２は、図２１におけるＦ−Ｆ線の断面図である。図２３は、図２２におけるＧ−Ｇ線の断面図である。
流体圧送部４４６が駆動することにより、流体循環部材４４８を介して、メインタンク４４５内の冷却流体が流体圧送部４４６内に送入されるとともに、流体圧送部４４６から中継タンク５４０４に送出される。
【０１０２】
そして、中継タンク５４０４内に送入された冷却流体は、中継タンク５４０４の各冷却流体流出部５４０４Ｂから流出し、流体循環部材４４８を介して、図２１または図２２に示すように、各光変調素子保持体５４０２の各流入口５４０６Ｈから各光変調素子保持体５４０２の各冷却室Ｒ４の領域Ｒ４Ａ（図２２または図２３）へと流入する。
ここで、光源装置４１１から射出された光束により、液晶パネル４４１の駆動基板４４１Ｃ、および射出側偏光板４４３に生じた熱は、冷却室Ｒ４の領域Ｒ４Ａ内の冷却流体に伝達される。
冷却室Ｒ４の領域Ｒ４Ａ内の冷却流体に伝達された熱は、図２２に示すように、冷却流体の流れにしたがって、図２２中、下方に向けて移動する。また、下方に向けて移動した熱は、冷却流体の流れにしたがって、枠状部材５４０６における下方側の凹部５４０６Ｅ（図２０（Ａ））の下方側の側壁により、左右方向略中央部分へと案内される。そして、左右方向略中央部分へと案内された熱は、図２２に示すように、冷却流体の流れにしたがって、筒状部５４０６Ｃおよびこの筒状部５４０６Ｃと接続する挿通孔５４０５Ｃを介して、冷却室Ｒ３内に移動する。
【０１０３】
ここでまた、光源装置４１１から射出された光束により、液晶パネル４４１の対向基板４４１Ｄ、および入射側偏光板４４２に生じた熱は、冷却室Ｒ３内の冷却流体に伝達される。
冷却室Ｒ３内の冷却流体に伝達された熱は、図２２に示すように、冷却室Ｒ４内から移動した熱とともに、冷却流体の流れにしたがって、図２２中、上方に向けて移動する。また、上方に向けて移動した熱は、冷却流体の流れにしたがって、枠状部材５４０５における上方側の凹部５４０５Ｆ（図１９（Ｂ））の側壁により、上方側角隅部分の一方（光束入射側から見て右側の角隅部分）へと案内される。そして、上方側角隅部分の一方へと案内された熱は、図２３に示すように、冷却流体の流れにしたがって、挿通孔５４０５Ｄおよびこの挿通孔５４０５Ｄと接続する筒状部５４０６Ｄを介して冷却室Ｒ４の領域Ｒ４Ｂ内に移動し、領域Ｒ４Ｂ内から流出口５４０６Ｉを介して外部へと移動する。
【０１０４】
流出口５４０６Ｉを介して光変調素子保持体５４０２の外部へと移動した熱は、冷却流体の流れにしたがって、図示しない流体循環部材を介して各光変調素子保持体５４０２〜ラジエータ４４７へと移動し、前記第１実施形態と同様に、ラジエータ４４７にて放熱される。
そして、ラジエータ４４７にて冷却された冷却流体は、ラジエータ４４７〜メインタンク４４５〜流体圧送部４４６〜中継タンク５４０４へと移動し、再度、冷却室Ｒ４の領域Ｒ４Ａへと移動する。
また、冷却ユニット３のシロッコファン３１により、前記第１実施形態と同様に、冷却空気が光変調素子保持体５４０２の外面、および光変調素子保持体５４０２と支持部材４４０３との間に流入し、入射側偏光板４４２の光束入射側端面および射出側偏光板４４３の光束射出側端面を冷却する。
【０１０５】
上述した第２実施形態においては、前記第１実施形態と比較して、２つの筒状部５４０６Ｃ，５４０６Ｄおよび２つの挿通孔５４０５Ｃ，５４０５Ｄにて各冷却室Ｒ３，Ｒ４を連通接続することで、前記第１実施形態で説明した３つの筒状部４４０６Ｃ，４４０６Ｄおよび３つの挿通孔４４０５Ｃ，４４０５Ｄにて各冷却室Ｒ１，Ｒ２を連通接続する構成と比較して、一対の枠状部材５４０５，５４０６の加工性を向上させ、容易に製造できるとともに、製造コストの低減を図れる。また、第２弾性部材５４０７Ｂおよび中間枠体５４０９も２つの筒状部５４０６Ｃ，５４０６Ｄに対応して２つの挿通孔５４０７Ｂ１，５４０９Ｄをそれぞれ形成すればよく、前記第１実施形態で説明した第２弾性部材４４０７Ｂおよび中間枠体４４０９が３つの挿通孔４４０７Ｂ１，４４０９Ｄを有する構成と比較して、第２弾性部材５４０７Ｂおよび中間枠体５４０９の加工性を向上させ、容易に製造できるとともに、製造コストの低減を図れる。
また、各冷却室Ｒ３，Ｒ４を連通接続する部位が２つの筒状部５４０６Ｃ，５４０６Ｄおよび２つの挿通孔５４０５Ｃ，５４０５Ｄによる２つであるので、前記第１実施形態で説明した各冷却室Ｒ１，Ｒ２を連通接続する部位が３つである構成と比較して、各冷却室Ｒ３，Ｒ４間を流通する冷却流体の漏れを低減でき、防水性をさらに確保できる。
【０１０６】
そして、流入口５４０６Ｈおよび流出口５４０６Ｉが枠状部材５４０６における上端部にそれぞれ形成されているので、流入口５４０６Ｈおよび流出口５４０６Ｉへの流体循環部材４４８の接続作業を上方向からの一方向に集約でき、該接続作業をさらに容易に実施できる。
また、筒状部５４０６Ｃおよび挿通孔５４０５Ｃは、流入口５４０６Ｈを介して冷却室Ｒ４の領域Ｒ４Ａ内に流入し、該領域Ｒ４Ａ内において上方側から下方側へと流通した冷却流体を冷却室Ｒ３内に流入させ、筒状部５４０６Ｄおよび挿通孔５４０５Ｃは、冷却室Ｒ３内において下方側から上方側へと流通した冷却流体を冷却室Ｒ４の領域Ｒ４Ｂ内に流入させて流出口５４０６Ｉを介して外部に流出させるので、流入口５４０６Ｈおよび流出口５４０６Ｉが枠状部材５４０６における上端部にそれぞれ形成されていても、各冷却室Ｒ３，Ｒ４の双方に確実に冷却流体を流通させることができる。
【０１０７】
[第３実施形態]
次に、本発明の第３実施形態を図面に基づいて説明する。
以下の説明では、前記第１実施形態および前記第２実施形態と同様の構造および同一部材には同一符号を付して、その詳細な説明は省略または簡略化する。
前記第１実施形態では、光学装置本体４４０において、光変調素子保持体４４０２の流入口４４０６Ｈおよび流出口４４０６Ｉは、枠状部材４４０６の上下端部の対向位置にそれぞれ形成されている。そして、３つの筒状部４４０６Ｃ，４４０６Ｄにより中間枠体４４０９および第２弾性部材４４０７Ｂには、３つの挿通孔４４０９Ａ，４４０７Ｂ１がそれぞれ形成されている。
これに対して第３実施形態では、光学装置本体６４０において、光変調素子保持体６４０２の流入口６４０６Ｈおよび流出口６４０５Ｉは、枠状部材６４０６の上端部、および枠状部材６４０５の上端部にそれぞれ形成されている。そして、枠状部材６４０６には１つのみの筒状部６４０６Ｃが形成され、これに対応して中間枠体６４０９および第２弾性部材６４０７Ｂには、１つのみの挿通孔６４０９Ｄ，６４０７Ｂ１がそれぞれ形成されている。光学装置本体６４０を除くその他の構成は、前記第１実施形態と同様のものとする。
【０１０８】
具体的に、図２４は、第３実施形態における光学装置本体６４０の概略構成を示す斜視図である。
光学装置本体６４０は、前記第１実施形態で説明した液晶パネル４４１、入射側偏光板４４２、射出側偏光板４４３、クロスダイクロイックプリズム４４４、および支持部材４４０３、前記第２実施形態で説明した中継タンク５４０４およびプリズム固定板５４０１の他、３つの光変調素子保持体６４０２を備える。
【０１０９】
図２５は、光変調素子保持体６４０２の概略構成を示す分解斜視図である。
３つの光変調素子保持体６４０２は、前記第１実施形態で説明した光変調素子保持体４４０２と略同様に、３つの液晶パネル４４１、３つの入射側偏光板４４２、および３つの射出側偏光板４４３をそれぞれ保持するとともに、内部に冷却流体が流入および流出し、該冷却流体により３つの液晶パネル４４１、３つの入射側偏光板４４２、および３つの射出側偏光板４４３をそれぞれ冷却する。なお、各光変調素子保持体６４０２は、同様の構成であり、以下では１つの光変調素子保持体６４０２のみを説明する。この光変調素子保持体６４０２は、図２５に示すように、前記第１実施形態で説明した一対の偏光板固定部材４４０８Ａ，４４０８Ｂの他、一対の枠状部材６４０５，６４０６と、４つの弾性部材６４０７と、支持枠体としての中間枠体６４０９とを備える。
【０１１０】
図２６は、枠状部材６４０５の概略構成を示す図である。具体的に、図２６（Ａ）は、枠状部材６４０５を光束射出側から見た斜視図である。また、図２６（Ｂ）は、枠状部材６４０５を光束入射側から見た斜視図である。
枠状部材６４０５は、枠状部材６４０６に対して光束入射側に配置され、液晶パネル４４１の光束入射側を支持するとともに、入射側偏光板４４２の光束射出側を支持するものであり、その具体的な構造は、前記第１実施形態で説明した枠状部材４４０５と略同様である。すなわち、この枠状部材６４０５は、前記第１実施形態で説明した枠状部材４４０５の開口部４４０５Ａ（斜面４４０５Ａ１を含む）、凹部４４０５Ｂ、４４０５Ｅ，４４０５Ｆ、挿通孔４４０５Ｃ、接続部４４０５Ｇ、およびフック４４０５Ｈと略同様の、開口部６４０５Ａ（斜面６４０５Ａ１を含む）、凹部６４０５Ｂ，６４０５Ｅ，６４０５Ｆ、突起部挿通孔としての挿通孔６４０５Ｃ、接続部６４０５Ｇ、およびフック６４０５Ｈを有している。
このうち、挿通孔６４０５Ｃは、枠状部材６４０６の後述する１つの筒状部に対応して１つのみ形成されている。すなわち、前記第１実施形態で説明した２つの挿通孔４４０５Ｄが省略されている。
また、上方側に位置する凹部６４０５Ｆは、左右方向略中央部分が光束射出側に向けて窪み凹となる曲面状に形成されている。また、凹部６４０５Ｆの上方側の側壁は、左右方向略中央部分が上方に向けて窪み凹となる曲面状に形成されている。
【０１１１】
また、この枠状部材６４０５において、その上方側端部略中央部分には、図２６に示すように、上方側に位置する凹部６４０５Ｆの上方側の側壁に貫通する流出口６４０５Ｉが形成されている。この流出口６４０５Ｉは、前記第１実施形態の流出口４４０６Ｉと同様の形状を有する。そして、この流出口６４０５Ｉは、前記第２実施形態の流出口５４０６Ｉと同様に、枠状部材６４０５の外側に突出した端部には、具体的な図示は省略するが、ラジエータ４４７における管状部材４４７２（図１２）の上方側の一端に接続された流体循環部材の他端が接続され、該流体循環部材を介して内部（後述する冷却室Ｒ５）の冷却流体がラジエータ４４７へと送出される。
なお、前記流体循環部材は、前記第２実施形態で説明した流体循環部材と同様に、他端が３つに分岐された管状部材で構成され、各他端が３つの光変調素子保持体６４０２の各流出口６４０５Ｉにそれぞれ接続し、３つの光変調素子保持体６４０２から流出した冷却流体を一括してラジエータ４４７へと送出するものとする。
【０１１２】
以上のような構成では、枠状部材６４０５は、前記第１実施形態で説明した枠状部材４４０５と同様に、凹部６４０５Ｂにて弾性部材６４０７の後述する第２弾性部材および中間枠体６４０９を介して液晶パネル４４１の光束入射側端面を支持することで、開口部６４０５Ａの光束射出側が閉塞される。また、枠状部材６４０５に対して偏光板固定部材４４０８Ａを固定することで、入射側偏光板４４２が弾性部材６４０７の後述する第１弾性部材を介して枠状部材６４０５に押圧され、枠状部材６４０５の開口部６４０５Ａの光束入射側が封止される。そして、枠状部材６４０５の開口部６４０５Ａの光束入射側および光束射出側が閉塞されることで、枠状部材６４０５内部（開口部６４０５Ａ内、および、凹部６４０５Ｆと入射側偏光板４４２との空隙）に冷却流体を封入可能とする冷却室Ｒ５（図２９参照）が形成される。
【０１１３】
図２７は、枠状部材６４０６の概略構成を示す図である。具体的に、図２７（Ａ）は、枠状部材６４０６を光束射出側から見た斜視図である。また、図２７（Ｂ）は、枠状部材６４０６を光束入射側から見た斜視図である。
枠状部材６４０６は、上述した枠状部材６４０５との間に、弾性部材６４０７および中間枠体６４０９を介して液晶パネル４４１を挟持するとともに、枠状部材６４０５と対向する面と反対の面側にて弾性部材６４０７を介して射出側偏光板４４３を支持するものであり、その具体的な構造は、前記第１実施形態で説明した枠状部材４４０６と略同様である。すなわち、この枠状部材６４０６は、前記第１実施形態で説明した枠状部材４４０６の開口部４４０６Ａ（斜面４４０６Ａ１を含む）、凹部４４０６Ｂ，４４０６Ｅ，４４０６Ｇ、筒状部４４０６Ｃ（孔４４０６Ｃ１を含む）、挿通部４４０６Ｊ、接続部４４０６Ｋ、およびフック４４０６Ｌと同様の、開口部６４０６Ａ（斜面６４０６Ａ１を含む）、凹部６４０６Ｂ，６４０６Ｅ，６４０６Ｇ、突起部としての筒状部６４０６Ｃ（孔６４０６Ｃ１を含む）、挿通部６４０６Ｊ、接続部６４０６Ｋ、およびフック６４０６Ｌを有している。
【０１１４】
このうち、筒状部６４０６Ｃは、図２７に示すように、凹部６４０６Ｂにおける下方側の左右方向略中央部分に形成されている。すなわち、枠状部材６４０６は、前記第１実施形態で説明した枠状部材４４０６における２つの筒状部４４０６Ｄが省略された構成となる。そして、枠状部材６４０６と枠状部材６４０５とを組み合わせた状態では、枠状部材６４０６における筒状部６４０６Ｃが枠状部材６４０５における挿通孔６４０５Ｃに挿通され、枠状部材６４０６の光束射出側および枠状部材６４０５の光束入射側を筒状部６４０６Ｃの孔６４０６Ｃ１、および挿通孔６４０５Ｃを介して冷却流体が流通可能となる。
なお、筒状部６４０６Ｃは、前記第１実施形態で説明した筒状部４４０６Ｃに対応する形状を有しているが、該筒状部６４０６Ｃには前記筒状部４４０６Ｃにおける突出部４４０６Ｃ２が形成されていないものとする。
また、上方側に位置する凹部６４０６Ｅは、図２７（Ａ）に示すように、左右方向略中央部分が光束入射側に向けて窪み凹となるように曲面状に形成されている。また、凹部６４０６Ｅの上方側の側壁は、左右方向略中央部分が上方に向けて窪み凹となるように曲面状に形成されている。
【０１１５】
また、この枠状部材６４０６において、その上方側端部略中央部分には、図２７に示すように、上方側に位置する凹部６４０６Ｅの上方側の側壁に貫通する流入口６４０６Ｈが形成されている。この流入口６４０６Ｈは、前記第１実施形態の流入口４４０６Ｈと同様の形状を有する。そして、この流入口６４０６Ｈは、前記第２実施形態の流入口５４０６Ｈと同様に、枠状部材６４０６の外側に突出した端部には、中継タンク５４０４の冷却流体流出部５４０４Ｂに接続された流体循環部材４４８の他端が接続され、該流体循環部材４４８を介して中継タンク５４０４から流出した冷却流体が内部（後述する冷却室Ｒ６）に流入する。
【０１１６】
以上のような構成では、前記第１実施形態で説明した光変調素子保持体４４０２と同様に、枠状部材６４０５，６４０６の各接続部６４０５Ｇ，６４０６Ｋにねじ６４０６Ｍ（図２５）を螺合することで、液晶パネル４４１が中間枠体６４０９および弾性部材６４０７の後述する第２弾性部材を介して枠状部材６４０５に押圧されるとともに、中間枠体６４０９および弾性部材６４０７の後述する第３弾性部材を介して枠状部材６４０６に押圧され、枠状部材６４０５の開口部６４０５Ａの光束射出側、および枠状部材６４０６の開口部６４０６Ａの光束入射側が封止される。また、枠状部材６４０６に対して偏光板固定部材４４０８Ｂを固定することで、射出側偏光板４４３が弾性部材６４０７の後述する第４弾性部材を介して枠状部材６４０６に押圧され、枠状部材６４０６の開口部６４０６Ａの光束射出側が封止される。そして、枠状部材６４０６の開口部６４０６Ａの光束入射側および光束射出側が閉塞されることで、枠状部材６４０６内部（開口部６４０６Ａ内、および、凹部６４０６Ｅと射出側偏光板４４３との空隙）に冷却流体を封入可能とする冷却室Ｒ６（図２９参照）が形成される。
【０１１７】
４つの弾性部材６４０７は、前記第１実施形態で説明した第１弾性部材４４０７Ａ、第３弾性部材４４０７Ｃ、および第４弾性部材４４０７Ｄの他、第２弾性部材６４０７Ｂを備える。これら弾性部材６４０７の材料は、前記第１実施形態で説明した弾性部材４４０７と同様に、シリコンゴム、水分透過量の少ないブチルゴムまたはフッ素ゴム等を採用できる。
第２弾性部材６４０７Ｂは、前記第１実施形態で説明した第２弾性部材４４０７Ｂと略同様の形状であり、開口部４４０７Ｂ２に対応する開口部６４０７Ｂ２を有し、異なる点は、枠状部材６４０６の筒状部６４０６Ｃに対応して１つのみの挿通孔６４０７Ｂ１が形成されている点のみである。
中間枠体６４０９も同様に、前記第１実施形態で説明した中間枠体４４０９と略同様の形状を有し、異なる点は、枠状部材６４０６の筒状部６４０６Ｃに対応して１つのみの挿通孔６４０９Ｄが形成されている点のみである。すなわち、この中間枠体６４０９には、図２５に示すように、前記中間枠体４４０９の開口部４４０９Ａおよび段差部４４０９Ｂ（隙間４４０９Ｃを含む）と同様の、開口部６４０９Ａおよび段差部６４０９Ｂ（隙間６４０９Ｃ（図２９参照）を含む）が形成されている。そして、一対の枠状部材６４０５，６４０６および中間枠体６４０９を組み立てた状態では、前記第１実施形態で説明した弾性部材収納部４４０７Ｅと略同様に、一対の枠状部材６４０５，６４０６における各凹部６４０５Ｂ，６４０５Ｇの開口部分が、中間枠体６４０９の光束入射側端面および液晶パネル４４１の対向基板４４１Ｄの光束入射側端面、および、中間枠体６４０９の光束射出側端面および液晶パネル４４１の駆動基板４４１Ｃの光束射出側端面にそれぞれ閉塞され、弾性部材６４０７における第２弾性部材６４０７Ｂおよび第３弾性部材４４０７Ｃが収納される弾性部材収納部６４０７Ｅが形成される（図２９参照）。
【０１１８】
以上説明したように、冷却流体は、前記第２実施形態と略同様に、複数の流体循環部材４４８を介して、メインタンク４４５（図４）〜流体圧送部４４６（図３）〜中継タンク５４０４（図２４）〜各光変調素子保持体６４０２（図２４）〜ラジエータ４４７（図１２）〜メインタンク４４５（図４）という流路を循環する。
【０１１９】
次に、液晶パネル４４１、入射側偏光板４４２、および射出側偏光板４４３の冷却構造を説明する。
図２８および図２９は、液晶パネル４４１、入射側偏光板４４２、および射出側偏光板４４３の冷却構造を説明するための図である。具体的に、図２８は、光変調素子保持体６４０２を光束射出側から見た平面図である。図２９は、図２８におけるＨ−Ｈ線の断面図である。
流体圧送部４４６が駆動することにより、前記第２実施形態と同様に、流体循環部材４４８を介して、メインタンク４４５内の冷却流体が中継タンク５４０４内に送入される。
【０１２０】
そして、中継タンク５４０４内に送入された冷却流体は、中継タンク５４０４の各冷却流体流出部５４０４Ｂから流出し、流体循環部材４４８を介して、図２８または図２９に示すように、各光変調素子保持体６４０２の各流入口６４０６Ｈから各光変調素子保持体６４０２の各冷却室Ｒ６（図２９）へと流入する。
ここで、光源装置４１１から射出された光束により、液晶パネル４４１の駆動基板４４１Ｃ、および射出側偏光板４４３に生じた熱は、冷却室Ｒ６内の冷却流体に伝達される。
冷却室Ｒ６内の冷却流体に伝達された熱は、図２９に示すように、冷却流体の流れにしたがって、図２９中、下方に向けて移動する。また、下方に向けて移動した熱は、冷却流体の流れにしたがって、枠状部材６４０６における下方側の凹部６４０６Ｅ（図２７（Ａ））の側壁により、左右方向略中央部分へと案内される。そして、左右方向略中央部分へと案内された熱は、図２９に示すように、冷却流体の流れにしたがって、筒状部６４０６Ｃおよびこの筒状部６４０６Ｃと接続する挿通孔６４０５Ｃを介して、冷却室Ｒ５内に移動する。
【０１２１】
ここでまた、光源装置４１１から射出された光束により、液晶パネル４４１の対向基板４４１Ｄ、および入射側偏光板４４２に生じた熱は、冷却室Ｒ５内の冷却流体に伝達される。
冷却室Ｒ５内の冷却流体に伝達された熱は、図２９に示すように、冷却室Ｒ６内から移動した熱とともに、冷却流体の流れにしたがって、図２９中、上方に向けて移動する。また、上方に向けて移動した熱は、冷却流体の流れにしたがって、枠状部材６４０５における上方側の凹部６４０５Ｆ（図２６（Ｂ））の側壁により、左右方向略中央部分へと案内される。そして、左右方向略中央部分へと案内された熱は、図２９に示すように、冷却流体の流れにしたがって、流出口６４０５Ｉを介して外部へと移動する。
【０１２２】
流出口６４０５Ｉを介して光変調素子保持体６４０２の外部へと移動した熱は、前記第２実施形態と同様に、冷却流体の流れにしたがって、図示しない流体循環部材を介して各光変調素子保持体６４０２〜ラジエータ４４７へと移動し、ラジエータ４４７にて放熱される。
そして、ラジエータ４４７にて冷却された冷却流体は、ラジエータ４４７〜メインタンク４４５〜流体圧送部４４６〜中継タンク５４０４へと移動し、再度、冷却室Ｒ６へと移動する。
また、冷却ユニット３のシロッコファン３１により、前記第１実施形態と同様に、冷却空気が光変調素子保持体６４０２の外面、および光変調素子保持体６４０２と支持部材４４０３との間に流入し、入射側偏光板４４２の光束入射側端面および射出側偏光板４４３の光束射出側端面を冷却する。
【０１２３】
上述した第３実施形態においては、前記第１実施形態と比較して、各１つの筒状部６４０６Ｃおよび挿通孔６４０６Ｃにて各冷却室Ｒ５，Ｒ６を連通接続することで、前記第１実施形態で説明した３つの筒状部４４０６Ｃ，４４０６Ｄおよび３つの挿通孔４４０５Ｃ，４４０５Ｄにて各冷却室Ｒ１，Ｒ２を連通接続する構成と比較して、一対の枠状部材６４０５，６４０６の加工性を飛躍的に向上させ、製造を一層容易に実施できるとともに、製造コストの低減を一層図れる。また、第２弾性部材６４０７Ｂおよび中間枠体６４０９も１つの筒状部６４０６Ｃに対応して１つの挿通孔６４０７Ｂ１，６４０９Ｄをそれぞれ形成すればよく、前記第１実施形態で説明した第２弾性部材４４０７Ｂおよび中間枠体４４０９が３つの挿通孔４４０７Ｂ１，４４０９Ｄを有する構成と比較して、第２弾性部材６４０７Ｂおよび中間枠体６４０９の加工性を飛躍的に向上させ、製造を一層容易に実施できるとともに、製造コストの低減を一層図れる。そして、このような構成により、光変調素子保持体６４０２の小型化および軽量化を図れる。
また、各冷却室Ｒ５，Ｒ６を連通接続する部位が各１つの筒状部６４０６Ｃおよび挿通孔６４０５Ｃによる１つであるので、前記第１実施形態で説明した各冷却室Ｒ５，Ｒ６を連通接続する部位が３つである構成と比較して、各冷却室Ｒ５，Ｒ６間を流通する冷却流体の漏れを一層低減でき、防水性をより一層確保できる。特に、冷却流体の流れの対称性と一様性が高まり、液晶パネル４４１の冷却の均一化に有効である。
【０１２４】
そして、流入口６４０６Ｈおよび流出口６４０５Ｉは、枠状部材６４０６，６４０５における上端部にそれぞれ形成されているので、流入口６４０６Ｈおよび流出口６４０５Ｉへの流体循環部材４４８の接続作業を上方向からの一方向に集約でき、該接続作業をさらに容易に実施できる。
また、流入口６４０６Ｈを介して冷却室Ｒ６内に流入した冷却流体を、筒状部６４０６Ｃおよび挿通孔６４０５Ｃを介して冷却室Ｒ５内に流入させ、流出口６４０５Ｉを介して外部に流出させるので、冷却室Ｒ６から冷却室Ｒ５へと、各冷却室Ｒ５，Ｒ６の双方に冷却流体を容易に流通させることができる。
【０１２５】
[第４実施形態]
次に、本発明の第４実施形態を図面に基づいて説明する。
以下の説明では、前記第１実施形態と同様の構造および同一部材には同一符号を付して、その詳細な説明は省略または簡略化する。
前記第１実施形態では、光学装置４４において、流体分岐部４４０１にて分岐され３つの光変調素子保持体４４０２に流入する冷却流体の流量は、略同一に設定されている。
これに対して第４実施形態では、光学装置４４において、各光変調素子保持体４４０２に流入する冷却流体の流量を変更可能とする流量変更部４４９を備える。その他の構成は、前記第１実施形態と同様である。
【０１２６】
具体的に、図３０は、第４実施形態における流量変更部４４９の構造および設置位置を示す図である。具体的に、図３０は、流体分岐部４４０１を上方から見た平面図である。
流量変更部４４９は、図３０に示すように、流体分岐部４４０１の冷却流体流出部４４０１Ｃにそれぞれ設けられ、各冷却流体流出部４４０１Ｃから各光変調素子保持体４４０２に送入される冷却流体の流量を変更可能に構成されている。この流量変更部４４９は、図３０に示すように、流量変更部本体４４９Ａと、流量調整部４４９Ｂとを備える。
流量変更部本体４４９Ａは、冷却流体を流通可能とする流路を有するとともに、流量調整部４４９Ｂを回動可能に軸支する。
流量調整部４４９Ｂは、具体的な図示は省略するが、流量変更部本体４４９Ａ内に配置される調整弁と、流量変更部本体４４９Ａの外側に突出する調整ねじとを備える。
このうち、前記調整弁は、回動位置に応じて流量変更部本体４４９Ａ内の流路を狭めたり、拡げたりして流路を通過する冷却流体の流量を変更可能とする。そして、前記調整弁は、前記調整ねじの動きに連動し、前記調整ねじを手動にて回動させることにより、流量変更部本体４４９Ａの流路を通過する冷却流体の流量を変更可能とする。
【０１２７】
上述した第４実施形態においては、前記第１実施形態と比較して、流量変更部４４９の流量調整部４４９Ｂを操作することにより、３つの液晶パネル４４１のうち、発熱量の大きい液晶パネル４４１に対して冷却流体の流量を大きくし、発熱量の小さい液晶パネル４４１に対して冷却流体の流量を小さくすることで、各液晶パネル４４１の温度の均一化を簡単な構成で容易にかつ、高精度に実施できる。したがって、各液晶パネル４４１にて形成される光学像の色合いを良好に維持することができる。さらに、液晶パネル４４１の劣化を防止できる。
【０１２８】
[第５実施形態]
次に、本発明の第５実施形態を図面に基づいて説明する。
以下の説明では、前記第１実施形態と同様の構造および同一部材には同一符号を付して、その詳細な説明は省略または簡略化する。
前記第１実施形態では、光学装置４４において、流体分岐部４４０１にて分岐され３つの光変調素子保持体４４０２に流入する冷却流体の流量は、略同一に設定されている。
これに対して第５実施形態では、流体分岐部７４０１の各冷却流体流出部７４０１Ｃ、および流体分岐部７４０１と各光変調素子保持体４４０２とを接続する流体循環部材７４８の管径を異なるものとすることで、各光変調素子保持体４４０２に流入する冷却流体の流量を変更する。
【０１２９】
具体的に、図３１は、第５実施形態における流体分岐部７４０１および該流体分岐部７４０１と接続する流体循環部材７４８を示す図である。具体的に、図３１は、流体分岐部７４０１を下方から見た平面図である。
流体分岐部７４０１は、前記第１実施形態で説明した流体分岐部４４０１と略同様の構成であり、３つの冷却流体流出部７４０１Ｒ，７４０１Ｇ，７４０１Ｂの管径が異なるように形成されている点が異なるのみである。
本実施形態では、Ｇ色光用の液晶パネル４４１を保持する光変調素子保持体４４０２へと冷却流体を流出させるための冷却流体流出部７４０１Ｇの管径を最も大きい管径に設定し、Ｂ色光用の液晶パネル４４１を保持する光変調素子保持体４４０２へと冷却流体を流出させるための冷却流体流出部７４０１Ｂ、Ｒ色光用の液晶パネル４４１を保持する光変調素子保持体４４０２へと冷却流体を流出させるための冷却流体流出部７４０１Ｒの管径を順に、小さく設定している。
また、流体循環部材７４８も上述した各冷却流体流出部７４０１Ｒ，７４０１Ｇ，７４０１Ｂの管径に対応させて、各流体循環部材７４８Ｒ，７４８Ｇ，７４８Ｂで管径を異なるものに設定している。
【０１３０】
上述した第５実施形態では、前記第１実施形態と比較して、各液晶パネル４４１の発熱量に応じて、各冷却流体流出部７４０１Ｒ，７４０１Ｇ，７４０１Ｂのおよびこれら冷却流体流出部７４０１Ｒ，７４０１Ｇ，７４０１Ｂの管径に対応させて流体循環部材７４８Ｒ，７４８Ｇ，７４８Ｂの管径を異なるものに設定することで、各液晶パネル４４１の温度の均一化を簡単な構成で容易に実施可能となる。したがって、各液晶パネル４４１にて形成される光学像の色合いを良好に維持することができる。
【０１３１】
以上、本発明について好適な実施形態を挙げて説明したが、本発明は、これらの実施形態に限定されるものではなく、本発明の要旨を逸脱しない範囲において種々の改良並びに設計の変更が可能である。
前記各実施形態において、光変調素子保持体４４０２，５４０２，６４０２は、各１つの流入口４４０６Ｈ，５４０６Ｈ，６４０６Ｈおよび流出口４４０６Ｉ，５４０６Ｉ，６４０５Ｉを有していたが、これに限らず、これら流入口４４０６Ｈ，５４０６Ｈ，６４０６Ｈおよび流出口４４０６Ｉ，５４０６Ｉ，６４０５Ｉを省略し冷却室Ｒ１〜Ｒ６内に冷却流体を密閉封入する構成としてもよく、各冷却室Ｒ１〜Ｒ６に応じて各２つ以上の流入口および流出口を形成する構成としてもよい。
また、流入口４４０６Ｈ，５４０６Ｈ，６４０６Ｈおよび流出口４４０６Ｉ，５４０６Ｉ，６４０５Ｉを省略し冷却室Ｒ１〜Ｒ６内に冷却流体を密閉封入する構成とした場合には、一対の枠状部材４４０５，４４０６，５４０５，５４０６，６４０５，６４０６に挿通孔４４０５Ｃ，４４０５Ｄ，５４０５Ｃ，５４０５Ｄ，６４０５Ｃおよび筒状部４４０６Ｃ，４４０６Ｄ，５４０６Ｃ，５４０６Ｄ，６４０６Ｃを形成しなくてもよい。このような構成では、各冷却室Ｒ１，Ｒ２間、各冷却室Ｒ３，Ｒ４間、各冷却室Ｒ５，Ｒ６間を冷却流体が流通することがないので、冷却流体の防水性をさらに確保できる。
さらに、流入口４４０６Ｈ，５４０６Ｈ，６４０６Ｈおよび流出口４４０６Ｉ，５４０６Ｉ，６４０５Ｉを省略し各冷却室Ｒ１〜Ｒ６内に冷却流体を密閉封入する構成とした場合には、一対の枠状部材４４０５，４４０６，５４０５，５４０６，６４０５，６４０６のうち少なくともいずれかの枠状部材に、対向する枠状部材に対して突出する突起部を設け、さらに、中間枠体４４０９，５４０９，６４０９に前記突起部と嵌合可能な嵌合部を設ければ、光変調素子保持体４４０２，５４０２，６４０２を容易に組み立てることができる。この場合、突起部および嵌合部の数および形成位置は特に限定されない。
【０１３２】
前記各実施形態において、光変調素子保持体４４０２，５４０２，６４０２における流入口４４０６Ｈ，５４０６Ｈ，６４０６Ｈおよび流出口４４０６Ｉ，５４０６Ｉ，６４０５Ｉの形成位置、および冷却流体の流通方向は、前記各実施形態で説明した形成位置、および流通方向に限らない。
例えば、前記第１実施形態では、枠状部材４４０６の上下端部に流出口４４０６Ｉおよび流入口４４０６Ｈがそれぞれ形成されていたが、これに限らず、枠状部材４４０５の上下端部に流出口４４０６Ｉおよび流入口４４０６Ｈをそれぞれ形成してもよい。また、下方側から上方側に向けて冷却流体を流通させていたが、これに限らず、流入口４４０６Ｈおよび流出口４４０６Ｉの形成位置を上下逆に設定し、上方側から下方側に向けて冷却流体を流通させる構成としてもよい。さらには、流入口４４０６Ｈおよび流出口４４０６Ｉは、枠状部材４４０５または枠状部材４４０６の上下端部に限らず、左右端部にそれぞれ形成してもよい。
【０１３３】
また、例えば、前記第２実施形態では、枠状部材５４０６の上端部に流入口５４０６Ｈおよび流出口５４０６Ｉがそれぞれ形成されていたが、これに限らず、枠状部材５４０５の上端部に流入口５４０６Ｈおよび流出口５４０６Ｉをそれぞれ形成してもよい。このような構成では、冷却流体は、流入口５４０６Ｈを介して液晶パネル４４１の光束入射側の冷却室Ｒ３に流入し、筒状部５４０６Ｃおよび挿通孔５４０５Ｃを介して液晶パネル４４１の光束射出側の冷却室Ｒ４に流入する。さらには、流入口５４０６Ｈおよび流出口５４０６Ｉは、枠状部材５４０５または枠状部材５４０６の上端部に限らず、その他の一側端部、例えば、下端部にそれぞれ形成してもよい。
【０１３４】
さらに、例えば、前記第３実施形態では、枠状部材６４０５の上端部に流出口６４０５Ｉが形成され、枠状部材６４０６の上端部に流入口６４０６Ｈが形成されていたが、これに限らず、枠状部材６４０５の上端部に流入口６４０６Ｈを形成し、枠状部材６４０６の上端部に流出口６４０５Ｉを形成してもよい。このような構成では、冷却流体は、流入口６４０６Ｈを介して液晶パネル４４１の光束入射側の冷却室Ｒ５に流入し、筒状部６４０６Ｃおよび挿通孔６４０５Ｃを介して液晶パネル４４１の光束射出側の冷却室Ｒ６に流入する。さらには、流入口６４０６Ｈおよび流出口６４０５Ｉは、枠状部材６４０６，６４０５の上端部に形成されていたが、これに限らず、枠状部材６４０５，６４０６の一方の枠状部材に流入口が形成され、他方の枠状部材に流出口が形成されていればよく、例えば、枠状部材６４０６，６４０５の下端部にそれぞれ形成してもよい。
【０１３５】
前記各実施形態において、一対の枠状部材４４０５，４４０６，５４０５，５４０６，６４０５，６４０６に形成される筒状部４４０６Ｃ，４４０６Ｄ，５４０６Ｃ，５４０６Ｄ，６４０６Ｃおよび挿通孔４４０５Ｃ，４４０５Ｄ，５４０５Ｃ，５４０５Ｄ，６４０５Ｃの形成位置および数は、特に限定されない。第２弾性部材４４０７Ｂ，５４０７Ｂ，６４０７Ｂの挿通孔４４０７Ｂ１，５４０７Ｂ１，６４０７Ｂ１および中間枠体４４０９，５４０９，６４０９の挿通孔４４０９Ｄ，５４０９Ｄ，６４０９Ｄも同様である。
例えば、前記第１実施形態では、筒状部４４０６Ｃおよび挿通孔４４０５Ｃは、１つのみ形成されていたが、これに限らず、２つ以上形成してもよい。また、筒状部４４０６Ｃおよび挿通孔４４０５Ｃは、下方側の左右方向略中央部分に形成されていたが、これに限らず、その他の位置に形成してもよい。前記第２実施形態および前記第３実施形態における筒状部５４０６Ｃ，６４０６Ｃおよび挿通孔５４０５Ｃ，６４０５Ｃも同様である。さらに、筒状部４４０６Ｄおよび挿通孔４４０５Ｄは、２つ形成されていたが、これに限らず、１つのみで形成してもよい。
【０１３６】
前記各実施形態では、光学装置４４において、メインタンク４４５、流体圧送部４４６、およびラジエータ４４７を備えた構成を説明したが、これに限らず、これらメインタンク４４５、流体圧送部４４６、およびラジエータ４４７のうち少なくともいずれかを省略した構成も本発明の目的を十分に達成できる。
【０１３７】
前記各実施形態では、一対の枠状部材４４０５，４４０６，５４０５，５４０６，６４０５，６４０６の外面に入射側偏光板４４２および射出側偏光板４４３を配置し、該入射側偏光板４４２および射出側偏光板４４３の透光性基板４４２Ａ，４４３Ａにて各冷却室Ｒ１〜Ｒ６を閉塞していたが、これに限らず、偏光膜が貼り付けられていないガラス等の透光性基板で各冷却室Ｒ１〜Ｒ６を閉塞してもよい。この際、入射側偏光板および射出側偏光板としては、前記各実施形態で説明した吸収型偏光板ではなく、所定の偏光軸を有する光束を透過し、その他の偏光軸を有する光束を反射する反射型偏光板とすれば、入射側偏光板および射出側偏光板を冷却流体にて冷却しなくても、光源から射出される光束による温度上昇を抑制できる。
また、光学変換素子として入射側偏光板４４２および射出側偏光板４４３を採用し、これら入射側偏光板４４２および射出側偏光板４４３を冷却流体にて冷却する構成を採用したが、これに限らず、光学変換素子としては、位相差板、あるいは視野角補正板を採用し、これらの光学変換素子を冷却流体にて冷却する構成を採用してもよい。
【０１３８】
前記各実施形態において、冷却流体と接触する部材である、流体循環部材４４８，７４８、メインタンク４４５、流体圧送部４４６、ラジエータ４４７の管状部材４４７２、枠状部材４４０５，４４０６，５４０５，５４０６，６４０５，６４０６、中継タンク４４０４，５４０４は、アルミニウム製の部材から構成したが、これに限らない。耐食性を有する材料であれば、アルミニウムに限らず、他の材料にて構成してもよく、例えば、無酸素銅やジュラルミンにて構成してもよい。また、中間枠体４４０９，５４０９，６４０９は、枠状部材４４０５，４４０６，５４０５，５４０６，６４０５，６４０６と同一材料にて構成しなくてもよく、アルミニウム以外の材料から構成してもよい。さらに、流体循環部材４４８，７４８としては、光変調素子保持体４４０２，５４０２，６４０２への変形反力が小さく画素ずれを抑制する硬度の低いブチルゴムまたはフッ素ゴム等を使用してもよい。
【０１３９】
前記第４実施形態における流量変更部４４９は、前記第１実施形態に採用する構成に限らず、前記第２実施形態または前記第３実施形態に採用してもよい。この際、流量変更部４４９は、流体分岐部４４０１ではなく、中継タンク５４０４に設置することとなる。また、流量変更部４４９は、各液晶パネル４４１に対応して３つで構成されていたが、これに限らず、１つ、または、２つで構成してもよい。さらに、流量変更部４４９は、流体分岐部４４０１の冷却流体流出部４４０１Ｃに設けた構成を説明したが、これに限らず、冷却流体流出部４４０１Ｃまたは冷却流体流出部５４０４Ｂと接続する流体循環部材４４８に設けてもよい。さらにまた、流量変更部４４９の構成は、前記第４実施形態で説明した構成に限らず、冷却流体の流路中に弁を設け、該弁の位置を変更することで流路を狭めたり拡げたりする構成であれば、他の構成であっても構わない。
【０１４０】
前記各実施形態では、シロッコファン３１の送風によって、光変調素子保持体４４０２，５４０２，６４０２の外面ならびに光学部品用筐体４５の底面を冷却していたが、これに限らず、シロッコファン３１を省略しても本発明の目的を十分に達成できる。このような構成では、低騒音化に寄与できる。
【０１４１】
前記第５実施形態における構成は、前記第１実施形態に採用する構成に限らず、前記第２実施形態または前記第３実施形態に採用してもよい。この際、流体分岐部７４０１と同様に、中継タンク５４０４の３つの冷却流体流出部５４０４Ｂの管径寸法を異なるように設定するとともに、これら冷却流体流出部５４０４Ｂと接続する流体循環部材４４８の管径寸法も異なるように設定すればよい。また、流体分岐部７４０１の各冷却流体流出部７４０１Ｃ、および各冷却流体流出部７４０１Ｃと接続する流体循環部材７４８の各管径をそれぞれ異なるように設定したが、これに限らず、１つのみの管径を他の管径よりも小さく、あるいは大きくした構成を採用してもよい。
【０１４２】
前記各実施形態では、光学ユニット４が平面視略Ｌ字形状を有した構成を説明したが、これに限らず、例えば、平面視略Ｕ字形状を有した構成を採用してもよい。
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【０１４３】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１４４】
本発明の光変調素子保持体は、冷却流体により光変調素子を冷却できかつ、光変調素子を所定位置に位置決めできるため、ホームシアターやプレゼンテーションで利用されるプロジェクタの光変調素子保持体として有用である。
【図面の簡単な説明】
【０１４５】
【図１】各実施形態におけるプロジェクタの概略構成を模式的に示す図。
【図２】第１実施形態におけるプロジェクタ内の一部を上方側から見た斜視図。
【図３】前記実施形態におけるプロジェクタ内の一部を下方側から見た斜視図。
【図４】前記実施形態におけるメインタンクの構造を示す図。
【図５】前記実施形態における光学装置本体の概略構成を示す図。
【図６】前記実施形態における光学装置本体の概略構成を示す図。
【図７】前記実施形態における流体分岐部の構造を示す図。
【図８】前記実施形態における光変調素子保持体の概略構成を示す分解斜視図。
【図９】前記実施形態における枠状部材の概略構成を示す図。
【図１０】前記実施形態における枠状部材の概略構成を示す図。
【図１１】前記実施形態における中継タンクの構造を示す図。
【図１２】前記実施形態におけるラジエータの構造、およびラジエータと軸流ファンとの配置関係を示す図。
【図１３】前記実施形態における液晶パネル、入射側偏光板、および射出側偏光板の冷却構造を説明するための図。
【図１４】前記実施形態における液晶パネル、入射側偏光板、および射出側偏光板の冷却構造を説明するための図。
【図１５】前記実施形態における液晶パネル、入射側偏光板、および射出側偏光板の冷却構造を説明するための図。
【図１６】第２実施形態における光学装置本体の概略構成を示す図。
【図１７】前記実施形態における光学装置本体の概略構成を示す図。
【図１８】前記実施形態における光変調素子保持体の概略構成を示す分解斜視図。
【図１９】前記実施形態における枠状部材の概略構成を示す図。
【図２０】前記実施形態における枠状部材の概略構成を示す図。
【図２１】前記実施形態における液晶パネル、入射側偏光板、および射出側偏光板の冷却構造を説明するための図。
【図２２】前記実施形態における液晶パネル、入射側偏光板、および射出側偏光板の冷却構造を説明するための図。
【図２３】前記実施形態における液晶パネル、入射側偏光板、および射出側偏光板の冷却構造を説明するための図。
【図２４】第３実施形態における光学装置本体の概略構成を示す斜視図。
【図２５】前記実施形態における光変調素子保持体の概略構成を示す分解斜視図。
【図２６】前記実施形態における枠状部材の概略構成を示す図。
【図２７】前記実施形態における枠状部材の概略構成を示す図。
【図２８】前記実施形態における液晶パネル、入射側偏光板、および射出側偏光板の冷却構造を説明するための図。
【図２９】前記実施形態における液晶パネル、入射側偏光板、および射出側偏光板の冷却構造を説明するための図。
【図３０】第４実施形態における流量変更部の構造および設置位置を示す図。
【図３１】第５実施形態における流体分岐部および該流体分岐部と接続する流体循環部材を示す図。
【符号の説明】
【０１４６】
１・・・プロジェクタ、５・・・投射レンズ（投射光学装置）、４４・・・光学装置、４１１・・・光源装置、４４１，４４１Ｒ，４４１Ｇ，４４１Ｂ・・・液晶パネル（光変調素子）、４４１Ｃ・・・駆動基板、４４１Ｄ・・・対向基板、４４１Ｅ・・・フレキシブルプリント基板（回路基板）、４４２・・・入射側偏光板（光学変換素子）、４４２Ａ・・・透光性基板、４４３・・・射出側偏光板（光学変換素子）、４４３Ａ・・・透光性基板、４４３Ｂ・・・偏光膜（光学変換膜）、４４４・・・クロスダイクロイックプリズム（色合成光学装置）、４４０２，５４０２，６４０２・・・光変調素子保持体、４４０５，４４０６，５４０５，５４０６，６４０５，６４０６・・・枠状部材、４４０５Ａ，４４０６Ａ，５４０５Ａ，５４０６Ａ，６４０５Ａ，６４０６Ａ・・・開口、４４０５Ｂ，４４０６Ｇ，５４０５Ｂ，５４０６Ｇ，６４０５Ｂ，６４０６Ｇ・・・凹部、４４０５Ｃ，４４０５Ｄ，５４０５Ｃ，５４０５Ｄ，６４０５Ｃ・・・挿通孔（突起部挿通孔）、４４０６Ｃ，４４０６Ｄ，５４０６Ｃ，５４０６Ｄ，６４０６Ｃ・・・筒状部（突起部）、４４０６Ｃ１，４４０６Ｄ１，５４０６Ｃ１，５４０６Ｄ１，６４０６Ｃ１・・・孔、４４０７Ｂ，５４０７Ｂ，６４０７Ｂ・・・第２弾性部材、４４０７Ｂ１，５４０７Ｂ１，６４０７Ｂ１・・・挿通孔、４４０７Ｂ２，５４０７Ｂ２，６４０７Ｂ２・・・開口、４４０７Ｃ・・・第３弾性部材、４４０７Ｃ１・・・開口、４４０７Ｅ，５４０７Ｅ，６４０７Ｅ・・・弾性部材収納部、４４０９，５４０９，６４０９・・・中間枠体（支持枠体）、４４０９Ａ，５４０９Ａ，６４０９Ａ・・・開口、４４０９Ｂ，５４０９Ｂ，６４０９Ｂ・・・段差部（凹部）、４４０９Ｄ，５４０９Ｄ，６４０９Ｄ・・・挿通孔、Ｒ１，Ｒ２，Ｒ３，Ｒ４，Ｒ５，Ｒ６・・・冷却室。
【図１】
2005215201.tif 000003
【図２】
2005215201.tif 000004
【図３】
2005215201.tif 000005
【図４】
2005215201.tif 000006
【図５】
2005215201.tif 000007
【図６】
2005215201.tif 000008
【図７】
2005215201.tif 000009
【図８】
2005215201.tif 000010
【図９】
2005215201.tif 000011
【図１０】
2005215201.tif 000012
【図１１】
2005215201.tif 000013
【図１２】
2005215201.tif 000014
【図１３】
2005215201.tif 000015
【図１４】
2005215201.tif 000016
【図１５】
2005215201.tif 000017
【図１６】
2005215201.tif 000018
【図１７】
2005215201.tif 000019
【図１８】
2005215201.tif 000020
【図１９】
2005215201.tif 000021
【図２０】
2005215201.tif 000022
【図２１】
2005215201.tif 000023
【図２２】
2005215201.tif 000024
【図２３】
2005215201.tif 000025
【図２４】
2005215201.tif 000026
【図２５】
2005215201.tif 000027
【図２６】
2005215201.tif 000028
【図２７】
2005215201.tif 000029
【図２８】
2005215201.tif 000030
【図２９】
2005215201.tif 000031
【図３０】
2005215201.tif 000032
【図３１】
2005215201.tif 000033